(57)【特許請求の範囲】
【請求項１】
ＭＤＴ（Ｍｉｎｉｍｉｚａｔｉｏｎ ｏｆ Ｄｒｉｖｅ Ｔｅｓｔｉｎｇ）の測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択し、
前記移動体無線通信装置から測定結果を収集する、
移動体無線通信ネットワーク装置。
【請求項２】
ＴＡＣ（Ｔｙｐｅ ｏｆ Ａｌｌｏｃａｔｉｏｎ Ｃｏｄｅ）情報フィールドに基づいてＭＤＴ（Ｍｉｎｉｍｉｚａｔｉｏｎ ｏｆ Ｄｒｉｖｅ Ｔｅｓｔｉｎｇ）の測定を行う移動体無線通信装置を選択する移動体無線通信ネットワーク装置に対して、
ＭＤＴの測定を行う移動体無線通信装置として選択された場合に、ＭＤＴの測定を行い、前記測定の結果を前記移動体無線通信ネットワーク装置に提供する移動体無線通信装置であって、
自移動体無線通信装置に割り当てられた装置識別情報のＴＡＣ情報フィールドに、自移動体無線通信装置が前記ＭＤＴの測定を行うべき移動体無線通信装置であるか否かを示す情報が設定される、
移動体無線通信装置。
【請求項３】
ＭＤＴ（Ｍｉｎｉｍｉｚａｔｉｏｎ ｏｆ Ｄｒｉｖｅ Ｔｅｓｔｉｎｇ）の測定へ参加するための能力を非アクティブ化するように動作する、
ことを特徴とした請求項２に記載の移動体無線通信装置。
【請求項４】
ＭＤＴ（Ｍｉｎｉｍｉｚａｔｉｏｎ ｏｆ Ｄｒｉｖｅ Ｔｅｓｔｉｎｇ）の測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択し、
前記移動体無線通信装置から測定結果を収集する、
測定結果収集方法。
【請求項５】
移動体無線通信ネットワーク装置に、
ＭＤＴ（Ｍｉｎｉｍｉｚａｔｉｏｎ ｏｆ Ｄｒｉｖｅ Ｔｅｓｔｉｎｇ）の測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択させ、
前記移動体無線通信装置から測定結果を収集させる、
ことを可能にする命令を含む、コンピュータプログラム。
【請求項６】
ＭＤＴ（Ｍｉｎｉｍｉｚａｔｉｏｎ ｏｆ Ｄｒｉｖｅ Ｔｅｓｔｉｎｇ）の測定を行う移動体無線通信装置と、
前記測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択し、前記移動体無線通信装置から測定結果を収集する移動体無線通信ネットワーク装置と、
で少なくとも構成される移動無線通信システム。
【発明の詳細な説明】
【技術分野】
【０００１】
本発明は、移動体無線通信ネットワークの最適化に関し、特に、ネットワーク特性テスト(ｐｅｒｆｏｒｍａｎｃｅ ｔｅｓｔｉｎｇ)に関連して用いる少なくとも一つの移動体無線通信装置を選択するよう配置される移動体無線通信ネットワーク装置に関する。また、本発明は、このように配置されるネットワークと共に用いる移動体無線通信装置、移動体無線通信装置の特徴の情報を含む信号、このような信号を送受信する方法、最適化を探索する方法、及び関連した通信システムに関する。
【背景技術】
【０００２】
携帯電話機等の移動体無線通信装置に与えられる機能は、３ＧＰＰ(Ｔｈｉｒｄ Ｇｅｎｅｒａｔｉｏｎ Ｐａｒｔｎｅｒｓｈｉｐ Ｐｒｏｊｅｃｔ)の提案及び標準を参考にしてますます定義されており、最近では、ＬＴＥ(Ｌｏｎｇ Ｔｅｒｍ Ｅｖｏｌｕｔｉｏｎ)等のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)への継続的改善に重点が置かれている。
【０００３】
ネットワークが運用可能となった後にネットワークを最適化するため、ネットワークプロバイダは、所謂ドライブテスト(ｄｒｉｖｅ ｔｅｓｔｉｎｇ)を実施する。ドライブテストの間、テスト移動機は、測定結果及び位置情報を収集する。テスト移動機は、ネットワークプロバイダのネットワークの一部を形成するエリアの周辺を運ばれて、必要な情報を収集する。この情報は、一旦収集されると、異なる位置におけるネットワークカバレッジを解析するために検討される。例えば強度、アンテナの位置や傾きといった種々のネットワークパラメータが、検索(収集)された情報の解析に基づいて最適化され得る。ドライブテストは、ネットワークパラメータに対する変更が実際にネットワークを改善(又は最適化)させたか否かを判定するために、再び実行される必要がある。
【発明の概要】
【発明が解決しようとする課題】
【０００４】
しかしながら、一般に、ネットワークの特定部分のために単回のドライブテスト(及びフォローアップ・ドライブテスト)を行うのでは十分で無い。これは、同一エリアで行われる同一のドライブテストが、異なる時間には異なる結果をもたらし得るためである。このため、異なる時間に更なるドライブテストを行って、例えば異なる負荷でのネットワークの挙動を予測するのが望ましい。
【０００５】
ネットワークプロバイダは、ドライブテストの実施がコストの掛り得るものであり、且つこのようなテストの実施から生じる自動車排ガスの増加に因って環境へ悪影響を及ぼすことを認識している。これらの問題に対処するため、ネットワークプロバイダは、野外における移動体無線通信装置ＵＥ(Ｕｓｅｒ Ｅｑｕｉｐｍｅｎｔ)をテストの一部として採用することにより、ネットワーク最適化テストを実施するための自動化ソリューションを開発している。これらのソリューションでは、情報が、ネットワーク最適化を行うプロバイダのネットワークへ接続するアクティブＵＥから取得される。
【０００６】
所謂ＭＤＴ(Ｍｉｎｉｍｉｚａｔｉｏｎ ｏｆ Ｄｒｉｖｅ Ｔｅｓｔｉｎｇ)は、ＵＥをベースにしたネットワーク特性測定(ＵＥ ｂａｓｅｄ ｎｅｔｗｏｒｋ ｐｅｒｆｏｒｍａｎｃｅ ｍｅａｓｕｒｅｍｅｎｔｓ)を管理するための開発であり、ネットワーク最適化に要するドライブテストの回数を削減することに繋がり得る。ＭＤＴは、ＵＴＲＡＮ(Ｕｎｉｖｅｒｓａｌ Ｔｅｃｈｎｏｌｏｇｙ Ｒａｄｉｏ Ａｃｃｅｓｓ Ｎｅｔｗｏｒｋ)及びＥ−ＵＴＲＡＮ(Ｅｖｏｌｖｅｄ Ｕｎｉｖｅｒｓａｌ Ｔｅｃｈｎｏｌｏｇｙ Ｒａｄｉｏ Ａｃｃｅｓｓ Ｎｅｔｗｏｒｋ)の両者に対するコントロールプレーン機構を用いたＵＥ無線測定の自動収集に関連し、ネットワークプロバイダがネットワーク特性を最適化する(例えば、カバレッジホールを検出する)のを可能にし、ネットワークカバレッジを向上させるための改善されたネットワーク計画を可能にする。
【０００７】
ネットワーク特性測定テスト方法の詳細は、３ＧＰＰ ＴＳ(Ｔｅｃｈｎｉｃａｌ Ｓｐｅｃｉｆｉｃａｔｉｏｎｓ) ３２．４２２及び３７．３２０内に見受けられる。
【０００８】
図１及び図２に、ＭＤＴ処理の具体例を示す。これらの例を、以下に簡潔に述べるが、後により詳細に説明する。
【０００９】
図１は、ＬＴＥネットワークにおけるＭＤＴ処理のための概略的な処理シグナリングフローを示している。ＥＭ(Ｅｌｅｍｅｎｔ Ｍａｎａｇｅｒ)は、ネットワーク・マネジメント・エンティティであり、その役割は、ｅＮＢ(ｅｖｏｌｖｅｄ ＮｏｄｅＢ)におけるＵＥ ＭＤＴ測定を含む、ネットワーク・エレメントの機能を設定することである。ｅＮＢ(或いは、Ｅ−ＵＴＲＡＮが無線アクセスとして用いられる場合にはＬＴＥ基地局)は、ＭＤＴ測定収集に参加するＵＥ装置を選択し、且つＵＥに対してＭＤＴ測定を設定する責務を担う。すなわち、無線ネットワークは、ＵＥに対する無線レベルシグナリングである無線リソース設定(Ｒａｄｉｏ Ｒｅｓｏｕｒｃｅ Ｃｏｎｇｆｉｇｕｒａｔｉｏｎ)及び測定設定(Ｍｅａｓｕｒｅｍｅｎｔ Ｃｏｎｆｉｇｕｒａｔｉｏｎ)を送出する。この図示された例において、ＵＥは、ＭＤＴ処理を目的とする無線測定を行うことが可能な端末機器、装置／ハンドセットである。
【００１０】
ＥＭからＴｒａｃｅ Ｓｅｓｓｉｏｎ Ａｃｔｉｖａｔｉｏｎリクエスト(図３に関連して後述される、ｍｅａｓｕｒｅｍｅｎｔ ｃｏｎｆｉｇｕｒａｔｉｏｎを含む)を受信すると、ｅＮＢは、Ｔｒａｃｅ Ｓｅｓｓｉｏｎを実施し、トレースパラメータを保存するよう動作する。また、ｅＮＢは、１以上のＵＥ(すなわち、ＵＥ１〜ＵＥｎ)から、ＵＥ装置能力(ｃａｐａｂｉｌｉｔｙ)を検索(収集)する。ＭＤＴ処理の一部として測定結果が収集されるＵＥの選択は、ｅＮＢにより、ＥＭから受信した装置能力要件に基づいて行われる。そして、ｅＮＢは、１以上のＵＥ(ＵＥ１〜ＵＥｎ)各々に対して、Ｔｒａｃｅ Ａｃｔｉｖａｔｉｏｎ／ＵＥ ｍｅａｓｕｒｅｍｅｎｔ ｃｏｎｆｉｇｕｒａｔｉｏｎ信号を送信する。ＵＥ ｍｅａｓｕｒｅｍｅｎｔ ｒｅｐｏｒｔが、１以上のＵＥ(ＵＥ１〜ＵＥｎ)各々により、ＲＲＣ(Ｒａｄｉｏ Ｒｅｓｏｕｒｃｅ Ｃｏｎｔｒｏｌ)プロトコルを用いて送信される。ｅＮＢでの各ＵＥ ｍｅａｓｕｒｅｍｅｎｔ ｒｅｐｏｒｔの受信に応じて、ＭＭＥ(Ｍｏｂｉｌｉｔｙ Ｍａｎａｇｅｍｅｎｔ Ｅｎｔｉｔｙ)は、特定のｔｒａｃｅ ｓｅｓｓｉｏｎのための恒久的なＵＥ(加入者)識別子 ＭＤＴ設定(すなわち、ＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)、又はＩＭＥＩ(ＳＶ)(Ｉｎｔｅｒｎａｔｉｏｎａｌ Ｍｏｂｉｌｅ Ｅｑｕｉｐｍｅｎｔ Ｉｄｅｎｔｉｔｙ(Ｓｏｆｔｗａｒｅ Ｖｅｒｓｉｏｎ)))を検索(収集)し、Ｅ−ＵＴＲＡＮが恒久的なＵＥ識別子を有していない場合には、これらの識別子をＴＣＥ(Ｔｒａｃｅ Ｃｏｌｌｅｃｔｉｏｎ Ｅｎｔｉｔｙ)へ転送する。ｅＮＢは、ＵＥ測定結果をＴｒａｃｅ Ｒｅｃｏｒｄｓ記憶モジュールへ保存し、それからＴｒａｃｅ Ｒｅｃｏｒｄ ｒｅｐｏｒｔをＴＣＥへ転送する。
【００１１】
ＴＣＥは、ＵＥ測定結果をｅＮＢから受信して収集するように動作するものであり、場合によっては、ＥＭと同一場所(すなわち、同一マシン又は物理エンティテイ)に配置され得る。
【００１２】
ｅＮＢからＴｒａｃｅ Ｒｅｃｏｒｄ ｒｅｐｏｒｔを受信すると、ＴＣＥは、Ｔｒａｃｅ Ｒｅｆｅｒｅｎｃｅ及びＴｒａｃｅ Ｒｅｃｏｒｄｉｎｇ Ｓｅｓｓｉｏｎ Ｒｅｆｅｒｅｎｃｅに基づいて、Ｔｒａｃｅ ＲｅｃｏｒｄｓをＵＥ識別子と結び付けるよう動作する。
【００１３】
図２は、ＵＭＴＳネットワークにおけるＭＤＴ処理のための概略的な処理シグナリングフローを示している。ＥＭ(Ｅｌｅｍｅｎｔ Ｍａｎａｇｅｒ)は、ネットワーク・マネジメント・エンティティであり、その役割は、ＲＮＣ(Ｒａｄｉｏ Ｎｅｔｗｏｒｋ Ｃｏｎｔｒｏｌｌｅｒ)に対するＵＥ ＭＤＴを含む、ネットワーク・エレメントの機能を設定することである。ＲＮＣ(或いは、ＵＴＲＡＮが無線アクセスとして用いられる場合にはＵＭＴＳ基地局)は、ＭＤＴ測定収集に参加するＵＥ装置を選択し、且つＵＥに対してＭＤＴ測定を設定する責務を担う。すなわち、無線ネットワークは、ＵＥに対する無線レベルシグナリングである無線リソース設定(Ｒａｄｉｏ Ｒｅｓｏｕｒｃｅ Ｃｏｎｇｆｉｇｕｒａｔｉｏｎ)及び測定設定(Ｍｅａｓｕｒｅｍｅｎｔ Ｃｏｎｆｉｇｕｒａｔｉｏｎ)を送出する。この図示された例において、ＵＥは、ＭＤＴ処理を目的とする無線測定を行うことが可能な端末機器、装置／ハンドセットである。
【００１４】
ＥＭからＴｒａｃｅ Ｓｅｓｓｉｏｎ Ａｃｔｉｖａｔｉｏｎリクエスト(図３に関連して再び後述される、ｍｅａｓｕｒｅｍｅｎｔ ｃｏｎｆｉｇｕｒａｔｉｏｎを含む)を受信すると、ＲＮＣは、Ｔｒａｃｅ Ｓｅｓｓｉｏｎを実施し、トレースパラメータを保存するよう動作する。また、ＲＮＣは、１以上のＵＥ(すなわち、ＵＥ１〜ＵＥｎ)から、ＵＥ装置能力を検索(収集)する。ＭＤＴ処理の一部として測定結果が収集されるＵＥの選択は、ＲＮＣにより、ＥＭから受信した装置能力要件に基づいて行われる。そして、ＲＮＣは、１以上のＵＥ(ＵＥ１〜ＵＥｎ)各々に対して、Ｔｒａｃｅ Ａｃｔｉｖａｔｉｏｎ／ＵＥ ｍｅａｓｕｒｅｍｅｎｔ ｃｏｎｆｉｇｕｒａｔｉｏｎ信号を送信する。ＵＥ ｍｅａｓｕｒｅｍｅｎｔ ｒｅｐｏｒｔが、１以上のＵＥ(ＵＥ１〜ＵＥｎ)各々により、ＲＲＣ(Ｒａｄｉｏ Ｒｅｓｏｕｒｃｅ Ｃｏｎｔｒｏｌ)プロトコルを用いて送信される。各ＵＥ ｍｅａｓｕｒｅｍｅｎｔ ｒｅｐｏｒｔの受信に応じて、ＲＮＣは、ＵＥ測定結果をＴｒａｃｅ Ｒｅｃｏｒｄｓ記憶モジュールへ保存し、それからＴｒａｃｅ Ｒｅｃｏｒｄ ｒｅｐｏｒｔをＴＣＥ(Ｔｒａｃｅ Ｃｏｌｌｅｃｔｉｏｎ Ｅｎｔｉｔｙ)へ転送する。
【００１５】
ＴＣＥは、ＵＥ測定結果をＲＮＣから受信して収集するように動作するものであり、場合によっては、ＥＭと同一場所(すなわち、同一マシン又は物理エンティテイ)に配置され得る。
【００１６】
ＲＮＣからＴｒａｃｅ Ｒｅｃｏｒｄ ｒｅｐｏｒｔを受信すると、ＴＣＥは、Ｔｒａｃｅ Ｒｅｆｅｒｅｎｃｅ及びＴｒａｃｅ Ｒｅｃｏｒｄｉｎｇ Ｓｅｓｓｉｏｎ Ｒｅｆｅｒｅｎｃｅに基づいて、Ｔｒａｃｅ Ｒｅｃｏｒｄｓを恒久的なＵＥ(加入者)識別子と組み合わせるよう動作する。
【００１７】
ネットワーク内で動作するＵＥの種別は、一般に、２つの広義なカテゴリに収まる。第１のカテゴリは、ＭＴＣ(Ｍａｃｈｉｎｅ Ｔｙｐｅ Ｃｏｍｍｕｎｉｃａｔｉｏｎｓ)デバイスであり、第２のカテゴリは、非ＭＴＣデバイス(或いは、例えば携帯電話機等の“人間によって制御される”デバイス)である。ＭＴＣデバイスは、フリート管理(ｆｌｅｅｔ ｍａｎａｇｅｍｅｎｔ)、又はモビリティやＧＰＳ(Ｇｌｏｂａｌ Ｐｏｓｉｔｉｏｎｉｎｇ Ｓｙｓｔｅｍ)能力を要するが画面若しくは音声能力を要さないロジスティック・アプリケーション(ｌｏｇｉｓｔｉｃａｌ ａｐｐｌｉｃａｔｉｏｎ)に利用され得る。スマートメータ等の他のソリューションは、低帯域幅を要するが、モビリティや音声能力を要さない。これらのＭＴＣデバイスは、Ｍ２Ｍ(Ｍａｃｈｉｎｅ−ｔｏ−Ｍａｃｈｉｎｅ)通信を行うために用いられる。
【００１８】
現在のところ、ＭＤＴを目的として、ＭＴＣデバイス及び非ＭＴＣ(すなわち、人間によって制御される)デバイスを含む任意のデバイスが選択され得る。そのユーザがネットワーク特性測定の一部として用いられるのを承諾していないＵＥ、及びローミングＵＥは、ＭＤＴから除外される。
【００１９】
図３に、ＭＤＴのための現行のデバイス選択処理の例を示す。この例を、以下に簡潔に述べるが、後により詳細に説明する。
【００２０】
図３は、ＭＤＴ処理へ参加するＵＥを選択するための概略的な処理シグナリングフローを示す。このフローは、ＭＤＴ目的のＵＥ選択のために、ＳＡ５ ＴＳ ３２．４２２から抜粋したものである。
【００２１】
ＵＥは、ＣＮ(Ｃｏｒｅ Ｎｅｔｗｏｒｋ：コアネットワーク)へ登録されると、そのＭＤＴ能力情報を、Ｅ−ＵＴＲＡＮのためのＡＳ能力(Ａｃｃｅｓｓ Ｓｔｒａｔｕｍ Ｃａｐａｂｉｌｉｔｙ)の一部としてコアネットワークへ転送する。この情報は、ＭＤＴに関するＹＥＳ／ＮＯの能力ビット(Ｃａｐａｂｉｌｉｔｙ ｂｉｔ)情報として提供される。この情報は、ＣＮにおいて記憶される。
【００２２】
ＭＤＴ測定の実施は、ＥＭがＲＡＮ(ｅＮＢ)からＭＤＴ処理を目的とするＵＥ無線測定をトリガすることによって、アクティブ化される。ＥＭは、ｅＮＢに対して、Ｔｒａｃｅ Ｓｅｓｓｉｏｎ Ａｃｔｉｖａｔｉｏｎコマンドを送信する。このコマンドは、ＵＴＲＡＮ／Ｅ−ＵＴＲＡＮ無線セルのリスト、装置能力要件(例えば、最小限のバッテリ状態)、測定のリスト(例えば、考えられる無線技術に関連した測定無線受信レベル(ＬＴＥのためのＲＳＲＰ(Ｒｅｆｅｒｅｎｃｅ Ｓｉｇｎａｌ Ｒｅｃｅｉｖｅｄ Ｐｏｗｅｒ)／ＲＳＲＱ(Ｒｅｆｅｒｅｎｃｅ Ｓｉｇｎａｌ Ｒｅｃｅｉｖｅｄ Ｑｕａｌｉｔｙ))、測定イベントに依存する報告トリガのリスト(例えば、周期的なＲＳＲＰ／ＲＳＲＱ測定)、報告間隔(即時ＭＤＴ(Ｉｍｍｅｄｉａｔｅ ＭＤＴ)に限り)、イベント閾値(即時ＭＤＴに限り)、ロギング間隔(ログＭＤＴ(Ｌｏｇｇｅｄ ＭＤＴ)に限り)、ロギング期間(ログＭＤＴに限り)等から成るＵＥ ｍｅａｓｕｒｅｍｅｎｔ ｃｏｎｆｉｇｕｒａｔｉｏｎ情報を含む。
【００２３】
即時ＭＤＴは、ＵＥがネットワークへ接続されると、測定結果がＵＥからｅＮＢへ即座に送信される機能である。一方、ログＭＤＴは、ＵＥがアイドル状態に在る間に行う測定に関する。この測定結果は、後の時点でｅＮＢへ報告するためにＵＥの測定ログに記憶される。
【００２４】
ＵＥは、ＲＡＮ(ｅＮＢ)とのコネクションを確立したい場合、ＲＲＣ Ｃｏｎｎｅｃｔｉｏｎ Ｓｅｔ−ｕｐ処理を開始する。初めに、ＵＥは、ＲＲＣ Ｃｏｎｎｅｃｔｉｏｎ ＲｅｑｕｅｓｔをｅＮＢへ送信する。このＲＲＣ Ｃｏｎｎｅｃｔｉｏｎ Ｒｅｑｕｅｓｔは、ＵＥ識別子(ＩＭＳＩ、ＴＭＳＩ等)、及びＲＲＣ確立要因(図示の例では、低優先度アクセス)を含んでいる。
【００２５】
ＲＲＣ Ｃｏｎｎｅｃｔｉｏｎ Ｒｅｑｕｅｓｔの受信に応じて、ｅＮＢは、ＲＲＣ Ｃｏｎｎｅｃｔｉｏｎ Ｓｅｔ−ｕｐメッセージをＵＥへ送信する。このＲＲＣ Ｃｏｎｎｅｃｔｉｏｎ Ｓｅｔ−ｕｐは、ＵＥとｅＮＢの間でＤＣＨ(ｄｅｄｉｃａｔｅｄ ｃｈａｎｎｅｌ)を確立するのに必要なパラメータを含む。
【００２６】
ＲＲＣ Ｃｏｎｎｅｃｔｉｏｎ Ｓｅｔ−ｕｐメッセージの受信に際して、ＵＥは、ＩＥ(ｉｎｆｏｒｍａｔｉｏｎ ｅｌｅｍｅｎｔ)値同士を比較し、値が同一であれば、ＲＲＣ Ｃｏｎｎｅｃｔｉｏｎ Ｓｅｔ−ｕｐ Ｃｏｍｐｌｅｔｅメッセージを、ＤＣＨを介してｅＮＢへ送信する。このＲＲＣ Ｃｏｎｎｅｃｔｉｏｎ Ｓｅｔ−ｕｐ Ｃｏｍｐｌｅｔｅメッセージは、ＮＡＳ−ＰＤＵ(Ｎｏｎ−Ａｃｃｅｓｓ Ｓｔｒａｔｕｍ Ｐａｃｋｅｔ Ｄａｔａ Ｕｎｉｔｓ)によって伝達される。
【００２７】
Ｔｒａｃｅ Ｒｅｃｏｒｄｉｎｇ Ｓｅｓｓｉｏｎは、ｅＮＢがＣＮからＩｎｉｔｉａｌ ＵＥ Ｃｏｎｔｅｘｔ Ｓｅｔｕｐ Ｒｅｑｕｅｓｔメッセージを介してトレースの制御及び設定パラメータ(ＭＤＴ Ｃａｐａｂｉｌｉｔｙを含むＵＥ ＡＳ Ｃａｐａｂｉｌｉｔｙ) (すなわち、ｔｒａｃｅ ｓｅｓｓｉｏｎ ａｃｔｉｖａｔｉｏｎリクエスト)を受信した場合に、ｅＮＢによって開始される。このようなＩｎｉｔｉａｌ ＵＥ Ｃｏｎｔｅｘｔ Ｓｅｔｕｐ Ｒｅｑｕｅｓｔメッセージは、ｅＮＢからのＩｎｉｔｉａｌ ＵＥメッセージの受信に応じて、ＣＮによりｅＮＢへ送信される。すなわち、ＵＥが存在するエリアにおいてＭＤＴ測定を実施する必要がある場合、ｅＮＢは、ＵＥを選択及び設定して、示されたＵＥ ＭＤＴ Ｃａｐａｂｉｌｉｔｙに応じたＭＤＴ測定を行えるようにする。
【００２８】
図示の例では、ｔｒａｃｅ ｓｅｓｓｉｏｎ ａｃｔｉｖａｔｉｏｎリクエスト(すなわち、Ｉｎｉｔｉａｌ ＵＥ Ｃｏｎｔｅｘｔ Ｓｅｔｕｐ Ｒｅｑｕｅｓｔ)がＣＮから特定のＵＥのために受信され、且つＭＤＴ ＵＥ選択条件が当該ＵＥに対して満たされる場合に、ログＭＤＴのｔｒａｃｅ ｒｅｃｏｒｄｉｎｇ ｓｅｓｓｉｏｎがｅＮＢにおいて当該ＵＥのために開始されるべきである。ｅＮＢは、対応するＭＤＴ ＲＲＣ測定をＵＥに設定すべきである。選択条件を満たさない場合、ｅＮＢは、トレースの制御及び設定パラメータを記憶し、ＵＥが他のｅＮＢへハンドオーバした場合にこれらのパラメータを転送すべきである。
【００２９】
上述した処理においては、ＵＥ装置が、アタッチするＲＡＮ(すなわち、装置の位置)及びＵＥのＭＤＴ Ｃａｐａｂｉｌｉｔｙ(すなわち、装置がＭＤＴ可能である必要があること)に基づいて、ＭＤＴ処理に参加するために選択される。
【００３０】
国際特許出願ＷＯ２０１０／１４５４１号公報は、ＭＤＴ(ｍｉｎｉｍｉｚｉｎｇ ｄｒｉｖｅ ｔｅｓｔ)によるログを測定する方法及び装置を開示している。この方法は、ＭＤＴログ測定設定情報(ＭＤＴ ｌｏｇ ｍｅａｓｕｒｅｍｅｎｔ ｃｏｎｆｉｇｕｒａｔｉｏｎ ｉｎｆｏｒｍａｔｉｏｎ)を作成するステップと、所定のルールに従って、当該ＭＤＴ ｌｏｇ ｍｅａｓｕｒｅｍｅｎｔ ｃｏｎｆｉｇｕｒａｔｉｏｎ ｉｎｆｏｒｍａｔｉｏｎを、接続状態のＵＥ(Ｃｏｎｎｅｃｔｅｄ ＵＥ)及び／又はアイドルＵＥ(Ｉｄｌｅ ＵＥ)へ送信するステップと、を含む。
【００３１】
国際特許出願ＷＯ２０１１／０５０８４６号公報は、ネットワーク特性監視を向上させるための測定を開示している。このような測定は、例えば、端末に関連するネットワーク特性パラメータの測定に関する報告を端末から受信し、アクセスネットワークに関連するネットワーク特性パラメータの情報を取得し、受信した端末に関連するネットワーク特性パラメータと、取得したアクセスネットワークに関連するネットワーク特性パラメータとを組み合わせて、組み合わせられたネットワーク特性報告を得る、ことを含む。
【００３２】
当然のことながら、ＭＤＴ処理の実施に際し、(現状の通り)非ＭＴＣ ＵＥ装置に加えてＭＴＣを考慮するならば、収集されるデータの量は非常に多い。ネットワークは、ＭＤＴ処理のために装置を選択するに際して、ＭＴＣと非ＭＴＣとを区別しない。ＭＤＴ処理の間にＭＴＣデバイスから収集されるデータは、一般に、非ＭＴＣデバイスから収集されるデータと比して有用では無い。このため、大量の収集データが有用では無い(一般に、ＭＴＣデバイスから収集されるデータに対応する部分)。結果として、大量のシグナリング・オーバヘッドが、ＭＴＣデバイスとの通信のために潜在的に浪費されている。
【００３３】
本発明は、既存処理に対して利点があるＭＤＴ処理を提供するものであり、特に、このようなＭＤＴ処理を、既存装置に対する利点を示すように実施する移動体無線通信ネットワーク装置及び移動体無線通信装置、並びにこれらに関連した動作方法を提供するものである。
【課題を解決するための手段】
【００３４】
本発明の一態様に係る移動体無線通信ネットワーク装置は、ＭＤＴ（Ｍｉｎｉｍｉｚａｔｉｏｎ ｏｆ Ｄｒｉｖｅ Ｔｅｓｔｉｎｇ）の測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択し、前記移動体無線通信装置から測定結果を収集する。
【００３５】
本発明の他の態様に係る移動体無線通信装置は、ＴＡＣ（Ｔｙｐｅ ｏｆ Ａｌｌｏｃａｔｉｏｎ Ｃｏｄｅ）情報フィールドに基づいてＭＤＴ（Ｍｉｎｉｍｉｚａｔｉｏｎ ｏｆ Ｄｒｉｖｅ Ｔｅｓｔｉｎｇ）の測定を行う移動体無線通信装置を選択する移動体無線通信ネットワーク装置に対して、ＭＤＴの測定を行う移動体無線通信装置として選択された場合に、ＭＤＴの測定を行い、前記測定の結果を前記移動体無線通信ネットワーク装置に提供する。なお、前記移動体無線通信装置は、ＭＤＴ（Ｍｉｎｉｍｉｚａｔｉｏｎ ｏｆ Ｄｒｉｖｅ Ｔｅｓｔｉｎｇ）の測定へ参加するための能力を非アクティブ化するように動作しても良い。
【００３６】
本発明の他の態様に係る測定結果収集方法は、ＭＤＴ（Ｍｉｎｉｍｉｚａｔｉｏｎ ｏｆ Ｄｒｉｖｅ Ｔｅｓｔｉｎｇ）の測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択し、前記移動体無線通信装置から測定結果を収集する、ことを含む。
【００３７】
本発明の他の態様に係るコンピュータプログラム、コンピュータプログラム製品又はコンピュータ可読媒体は、移動体無線通信ネットワーク装置に、ＭＤＴ（Ｍｉｎｉｍｉｚａｔｉｏｎ ｏｆ Ｄｒｉｖｅ Ｔｅｓｔｉｎｇ）の測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択させ、前記移動体無線通信装置から測定結果を収集させる、ことを可能にする命令を含む。
【００３８】
本発明の他の態様に係る移動無線通信システムは、ＭＤＴ（Ｍｉｎｉｍｉｚａｔｉｏｎ ｏｆ Ｄｒｉｖｅ Ｔｅｓｔｉｎｇ）の測定を行う移動体無線通信装置と、前記測定を行う移動体無線通信装置を、前記移動体無線通信装置のＴＡＣ（Ｔｙｐｅ ｏｆ Ａｌｌｏｃａｔｉｏｎ Ｃｏｄｅ）情報フィールドに基づいて選択し、前記移動体無線通信装置から測定結果を収集する移動体無線通信ネットワーク装置と、で少なくとも構成される。
【００３９】
本発明の態様によれば、ネットワーク特性の測定結果を収集し、ネットワーク特性の測定結果が収集されるべき少なくとも一つの移動体無線通信装置を、前記少なくとも一つの移動体無線通信装置の少なくとも一つのパラメータが少なくとも一つの指定された選択パラメータに対応する場合に、選択するように動作する移動体無線通信ネットワーク装置が提供される。前記少なくとも一つの指定された選択パラメータは、少なくとも一つの移動体無線通信装置特性を特定するデータを含む。
【００４０】
本発明は、ＬＴＥ無線技術におけるＭＤＴ処理(ＵＥベースのネットワーク特性測定の管理として知られている)に適用可能であり、Ｅ−ＵＴＲＡＮ(Ｅｖｏｌｖｅｄ Ｕｎｉｖｅｒｓａｌ Ｔｅｃｈｎｏｌｏｇｙ Ｒａｄｉｏ Ａｃｃｅｓｓ Ｎｅｔｗｏｒｋ)を介したＥＰＳ(Ｅｖｏｌｖｅｄ Ｐａｃｋｅｔ Ｓｙｓｔｅｍ)への端末機器(ハンドセット)若しくはＵＥ(Ｕｓｅｒ Ｅｑｕｉｐｍｅｎｔ)アクセスにも適用可能であり得る。また、本発明は、ＵＭＴＳ無線技術においても適用可能であり、ＵＴＲＡＮ無線ネットワークを介したＣＮへの端末機器アクセスにも適用可能であり得る。より詳細には、本発明は、ネットワークオペレータによりＵＥ無線測定結果を収集するという状況下における装置選択に適用可能であり、特に、当該データ収集に適した装置の種別を制御することに適用可能であり得る。
【００４１】
本発明は、ＭＤＴ処理(すなわち、ＭＤＴ設定及びＭＤＴデータ収集)に関連したシグナリング・オーバヘッドを低減するのに役立ち得る。Ｍａｃｈｉｎｅ−Ｔｙｐｅ ｃｏｍｍｕｎｉｃａｔｉｏｎｓの数は人から人への通信(ｈｕｍａｎ−ｔｏ−ｈｕｍａｎ ｃｏｍｍｕｎｉｃａｔｉｏｎｓ)と比して２桁まで多かろうから、ネットワークがこのようなＭＴＣデバイスをＭＤＴ処理のために設定しないならば、シグナリング・オーバヘッドの低減はこの桁であろう。
【００４２】
本発明は、ネットワークオペレータ／プロバイダが、ＭＤＴ測定によって達成したいことに応じて特定タイプの装置のみを考慮可能にするのに役立ち得る。例えば、ｓｍａｌｌ ｄａｔａ ｔｒａｎｓｍｉｓｓｉｏｎデバイスは、ネットワーク特性をターゲットとするＭＤＴデータ収集には適さず(以てネットワークオペレータは、この種の装置を、ＭＤＴ処理において測定結果が収集される装置から除外したい)であろう。一方、ＭＴＣデバイスのトラブルシューティングは、今後、関連ビジネスケースになり得るから、ネットワークオペレータは、この種の装置をＭＤＴ処理において測定結果が収集される装置に含めたいであろう。
【００４３】
本発明は、例えばネットワークオペレータがユーザ・エクスペリエンスを向上させるためにネットワークカバレッジの最適化を行いたい場合に、人間によって制御される装置(すなわち、非ＭＴＣデバイス)のみを考慮可能にするのに役立ち得る。よって、特定の要件を満たさない装置(例えば、ＭＴＣ)は、ＭＤＴ測定収集の間に考慮されないであろう。このようなＭＴＣデバイスは、この場合におけるＵＥ(Ｕｓｅｒ Ｅｑｕｉｐｍｅｎｔ)ベースのネットワーク特性測定には適さない。何故なら、ネットワークオペレータが、主として人間的な通信装置のためにネットワークカバレッジ及びキャパシティを向上させたいからである。具体的には、無線セルエッジでｍａｃｈｉｎｅ ｔｙｐｅ ｃｏｍｍｕｎｉｃａｔｉｏｎｓのためにネットワークカバレッジ／キャパシティを向上させることの意義は少ない。さらに、ＵＥベースのネットワーク特性測定を目的としてＭＴＣデバイスを選択する場合には、ユーザ承諾(Ｕｓｅｒ ｃｏｎｓｅｎｔ)又はローミングの考慮が不要である。
【００４４】
また、本発明は、(例えば、低モビリティであるが故に)信頼性のある位置情報を提供するものとして知られる装置から測定結果を取得可能にするのにも役立ち得る。
【００４５】
また、本発明は、ネットワークオペレータが無線ネットワークのスループットを確認且つ向上可能にするのにも役立ち得る。この場合、ｓｍａｌｌ ｄａｔａ ｔｒａｎｓｍｉｓｓｉｏｎデバイスは、ＵＥベースのネットワーク特性測定に適さない。このため、本発明は、ネットワークオペレータが、このようなデバイスをＵＥベースのネットワーク特性測定の取得中の考慮から除外可能にする。
【００４６】
極端に消費電力の低いＵＥ装置は、ＵＥベースのネットワーク特性測定に適さないであろう。何故なら、このような測定が装置のバッテリ残量を使い果たし、装置が必要な場合に重要データ(例えば、囚人追跡のための周期的な位置情報)をネットワークへ送信することを不可能にし得るためである。本発明は、ネットワークオペレータが、このような装置をＵＥベースのネットワーク特性測定の取得中の考慮から除外可能にするよう動作し得る。このような装置が測定結果の取得を要求された場合、本発明は、ＲＡＮが、装置へ長い間欠受信／送信期間を設定することに代えて、ＵＥ装置に対して(例えば、無線コネクションの解放による)最も効率的な省電力状態への切替を指示可能にするよう動作し得る。
【００４７】
低メモリのＵＥ装置は、ＵＥベースのネットワーク特性測定に適さないであろう。現在のところ、必須のメモリサイズは、一貫した最低限の無線測定結果を収集するＵＥに対して、６４キロバイトに設定されている。しかしながら、幾つかのｍａｃｈｉｎｅ ｔｙｐｅ ｃｏｍｍｕｎｉｃａｔｉｏｎｓデバイスは、このようなメモリサイズを有していないと考えられる。このため、本発明は、このようなデバイスをＵＥベースのネットワーク特性測定の取得中の考慮から除外可能にするよう動作し得る。
【００４８】
低モビリティのＵＥ装置は、その位置エリアがＵＥベースのネットワーク特性測定の範囲となるターゲットエリアと一致し、ネットワーク特性の測定結果が収集可能となるだけの十分な長時間に亘っては当該エリアに留まらない高モビリティのＵＥ装置よりも、適切であり得る。このため、本発明は、ＵＥベースのネットワーク特性測定の取得中に、このような装置をネットワーク特性考慮から除外するよう動作し得る。また、本発明は、ＲＡＮに、これらのＵＥ装置からの無線測定報告を設定させないように動作し得る。
【００４９】
オプションとして、幾つかのカテゴリのＵＥ装置(例えば、ＭＴＣ)は選択されないであろう。例えば、(ａ)特定の時点でデータを送信するが、スケジュールされた時点以外でデータを送信することが想定されない時間制御されたデバイス、(ｂ)ｓｍａｌｌ ｄａｔａ ｔｒａｎｓｍｉｓｓｉｏｎデバイス(ネットワークスループットをターゲットとするＭＤＴデータ収集には適さない)。これらのデバイスは、選択されないか、或いは他の(例えば、ＭＴＣ)デバイス(例えば、大抵の場合に、その位置エリアがＭＤＴの範囲となるターゲットエリアと一致する低モビリティのデバイス)よりも優先して選択され得る。加えて、非人間的な通信を行うよう動作するＭＴＣデバイスは、ユーザ承諾及びローミング特性に関わらずに選択され得る。
【００５０】
現在のところ、ＭＤＴ測定設定のために選択されるＵＥ装置の種別を考慮するメカニズムは存在しない。また、収集されたトレースからＵＥ装置の選択を改善するといったネットワークにおけるインテリジェントな知識等のメカニズムも存在しない。何故なら、ユーザ位置情報の存在に因りデータが匿名(ａｎｏｎｙｍｉｚｅｄ)であるので、これらが特定のＵＥ装置へはリンクされ得ないためである。
【００５１】
オプションとして、前記少なくとも一つの移動体無線通信装置特性は、前記移動体無線通信装置の動作特性を含んでも良い。更なるオプションとして、前記移動体無線通信装置動作特性は、前記移動体無線通信装置に対して設定されても良い。更なるオプションとして、前記設定は、ＯＭＡ ＤＭ（Ｏｐｅｎ Ｍｏｂｉｌｅ Ａｌｌｉａｎｃｅ Ｄｅｖｉｃｅ Ｍａｎａｇｅｍｅｎｔ）シグナリングによって行われても良い。
【００５２】
オプションとして、前記少なくとも一つの移動体無線通信装置特性は、移動体無線通信装置の種別を特定するデータを含んでも良い。更なるオプションとして、前記移動体無線通信装置の種別を特定するデータは、移動機識別情報(例えば、所謂ＩＭＥＩ(Ｉｎｔｅｒｎａｔｉｏｎａｌ Ｍｏｂｉｌｅ Ｅｑｕｉｐｍｅｎｔ Ｉｄｅｎｔｉｔｙ))のＴＡＣ（Ｔｙｐｅ ｏｆ Ａｌｌｏｃａｔｉｏｎ Ｃｏｄｅ）情報フィールドに含まれても良い。また、更なるオプションとして、前記移動体無線通信装置の種別を特定するデータは、ＭＴＣ（Ｍａｃｈｉｎｅ−Ｔｙｐｅ Ｃｏｍｍｕｎｉｃａｔｉｏｎｓ）移動無線通信装置を前記ネットワーク装置によるネットワーク特性の測定結果の取得に含めないことを、指定するデータを含んでも良い。
【００５３】
オプションとして、前記ネットワーク装置がネットワーク特性の測定結果を取得すべき前記移動体無線通信装置は、当該移動体無線通信装置の複数のパラメータの各々が指定された複数の選択パラメータの内で対応する指定された選択パラメータを有している場合に、選択されても良い。
【００５４】
前記ネットワーク装置は、前記少なくとも一つの移動体無線通信装置から、前記移動体無線通信装置のＡＳ（ａｃｃｅｓｓ ｓｔｒａｔｕｍ）Ｃａｐａｂｉｌｉｔｙ、前記少なくとも一つの移動体無線通信装置動作特性、及び前記移動体無線通信装置の種別の少なくとも一つを示す情報を検索(収集)するよう動作しても良い。また、前記ネットワーク装置は、前記移動体無線通信装置を前記ネットワーク装置へ初期登録する際に、前記情報を検索(収集)するように動作しても良い。また、前記ネットワーク装置が、取得した指示情報を記憶するよう動作し、前記情報が、前記選択パラメータの少なくとも一部を形成するために選択可能であるようにしても良い。更なるオプションとして、前記ネットワーク装置は、前記記憶された取得した指示情報を、ＵＥモビリティ処理中に他のネットワーク装置へ送信するように動作しても良い。
【００５５】
オプションとして、前記ネットワーク装置は、第１及び第２の演算エレメントを備えても良い。前記第１の演算エレメントは、前記第２の演算エレメントに対して、前記選択パラメータを含む指示を転送するように動作する。前記第２の演算エレメントは、前記指示の受信に応じて、前記選択パラメータと一致するパラメータを有する１以上の移動体無線通信装置からのネットワーク特性の測定結果の収集を発動する。オプション的な配置において、前記指示は、ｔｒａｃｅ ｓｅｓｓｉｏｎ ａｃｔｉｖａｔｉｏｎコマンドを構成する選択パラメータを含んでも良い。また、更なるオプションとして、各選択パラメータに関する情報は、前記ｔｒａｃｅ ｓｅｓｓｉｏｎ ａｃｔｉｖａｔｉｏｎコマンドに少なくとも一つのフラグを含んでも良い。
【００５６】
オプションとして、前記移動体無線通信装置の動作特性は、前記移動体無線通信装置のモビリティ、前記移動体無線通信装置の呼及び／又はデータトラヒック、前記移動体無線通信装置のメモリ容量、並びに前記移動体無線通信装置のバッテリ寿命の少なくとも一つに関するものであっても良い。更なるオプションとして、前記移動体無線通信装置の選択は、ユーザの承諾(Ｕｓｅｒ ｃｏｎｓｅｎｔ)、及び装置のローミング特性のいずれか一方を考慮に入れない。
【００５７】
オプションとして、前記ネットワーク装置は、前記ネットワーク特性の測定が、ＭＤＴ（Ｍｉｎｉｍｉｚａｔｉｏｎ ｏｆ Ｄｒｉｖｅ Ｔｅｓｔｉｎｇ）処理において行われるように配置されても良い。
【００５８】
本発明の他の態様によれば、上述したネットワーク装置による設定のために動作する移動体無線通信装置が提供される。
【００５９】
オプションとして、前記移動体無線通信装置は、ネットワーク特性測定へ参加するための能力(Ｃａｐａｂｉｌｉｔｙ)を非アクティブ化するように動作しても良い。また、更なるオプションとして、前記移動体無線通信装置は、前記移動体無線通信ネットワーク装置へ、前記移動体無線通信装置のＡＳ（ａｃｃｅｓｓ ｓｔｒａｔｕｍ） Ｃａｐａｂｉｌｉｔｙ、前記少なくとも一つの移動体無線通信装置動作特性、及び前記移動体無線通信装置の種別の少なくとも一つを示す情報を提供するように動作しても良い。更なるオプションとして、前記移動体無線通信装置は、前記少なくとも一つの装置動作特性を、無線能力(Ｒａｄｉｏ Ｃａｐａｂｉｌｉｔｙ)情報モジュール中の情報として設定するように動作しても良い。
【００６０】
本発明の他の態様によれば、ネットワーク特性測定のための移動体無線通信装置選択信号が提供される。この信号は、少なくとも一つの移動体無線通信装置特性を特定するデータを含む。
【００６１】
オプションとして、前記少なくとも一つの移動体無線通信装置特性は、前記移動体無線通信装置の動作特性を含んでも良い。更なるオプションとして、前記少なくとも一つの移動体無線通信装置特性は、移動体無線通信装置の種別を特定するデータを含んでも良い。更なるオプションとして、前記移動体無線通信装置の種別は、移動機識別情報(例えば、所謂ＩＭＥＩ(Ｉｎｔｅｒｎａｔｉｏｎａｌ Ｍｏｂｉｌｅ Ｅｑｕｉｐｍｅｎｔ Ｉｄｅｎｔｉｔｙ))のＴＡＣ（Ｔｙｐｅ ｏｆ Ａｌｌｏｃａｔｉｏｎ Ｃｏｄｅ）情報フィールドに含まれても良い。
【００６２】
オプションとして、前記信号は、ＯＭＡ ＤＭ信号であっても良い。
【００６３】
本発明の更なる態様によれば、ネットワーク特性の測定結果を収集する方法が提供される。この方法は、ネットワーク特性の測定結果が収集されるべき少なくとも一つの移動体無線通信装置を、前記少なくとも一つの移動体無線通信装置の少なくとも一つのパラメータが少なくとも一つの指定された選択パラメータに対応する場合に、選択する、ことを含む。前記少なくとも一つの指定された選択パラメータは、少なくとも一つの移動体無線通信装置特性を特定するデータを含む。
【００６４】
オプションとして、前記少なくとも一つの移動体無線通信装置特性は、前記移動体無線通信装置の動作特性を含んでも良い。更なるオプションとして、前記移動体無線通信装置動作特性は、前記移動体無線通信装置に対して設定されても良い。また、更なるオプションとして、前記設定は、ＯＭＡ ＤＭシグナリングによって行われても良い。
【００６５】
オプションとして、前記少なくとも一つの移動体無線通信装置特性は、移動体無線通信装置の種別を特定するデータを含んでも良い。更なるオプションとして、前記移動体無線通信装置の種別は、移動機識別情報(例えば、所謂ＩＭＥＩ(Ｉｎｔｅｒｎａｔｉｏｎａｌ Ｍｏｂｉｌｅ Ｅｑｕｉｐｍｅｎｔ Ｉｄｅｎｔｉｔｙ))のＴＡＣ（Ｔｙｐｅ ｏｆ Ａｌｌｏｃａｔｉｏｎ Ｃｏｄｅ）情報フィールドに含まれても良い。更なるオプションとして、前記移動体無線通信装置の選択は、ユーザの承諾、及び装置のローミング特性のいずれか一方を考慮に入れない。
【００６６】
オプションとして、前記移動体無線通信装置の種別を特定するデータは、ＭＴＣ（Ｍａｃｈｉｎｅ−Ｔｙｐｅ Ｃｏｍｍｕｎｉｃａｔｉｏｎｓ）移動無線通信装置をネットワーク装置によるネットワーク特性の測定結果の取得に含めないことを、指定するデータを含んでも良い。
【００６７】
オプションとして、前記方法は、ネットワーク装置がネットワーク特性の測定結果を取得すべき移動体無線通信装置を、当該移動体無線通信装置の複数のパラメータの各々が指定された複数の選択パラメータの内で対応する指定された選択パラメータを有している場合に、選択する、ことをさらに含んでも良い。
【００６８】
オプションとして、前記方法は、前記少なくとも一つの移動体無線通信装置から、前記移動体無線通信装置のＡＳ（ａｃｃｅｓｓ ｓｔｒａｔｕｍ） Ｃａｐａｂｉｌｉｔｙ、前記少なくとも一つの移動体無線通信装置動作特性、及び前記移動体無線通信装置の種別の少なくとも一つを示す情報を検索(収集)するステップ、をさらに含んでも良い。更なるオプションとして、前記検索(収集)ステップは、前記移動体無線通信装置をネットワーク装置へ初期登録する際に、実行されても良い。更なるオプションとして、前記方法は、取得した指示情報を記憶するステップ、をさらに含んでも良い。前記情報は、前記選択パラメータの少なくとも一部を形成するために選択可能である。
【００６９】
オプションとして、前記方法は、前記記憶された取得した指示情報を、他のネットワーク・エンティテイへ転送するステップ、をさらに含んでも良い。
をさらに含
【００７０】
オプションとして、前記方法は、前記選択パラメータを含む指示を、第１の演算エレメントから第２の演算エレメントへ転送するステップと、前記指示の受信に応じて、前記選択パラメータと一致するパラメータを有する１以上の移動体無線通信装置から、ネットワーク特性の測定結果を収集するステップと、をさらに含んでも良い。更なるオプションとして、前記指示は、ｔｒａｃｅ ｓｅｓｓｉｏｎ ａｃｔｉｖａｔｉｏｎコマンドを構成する選択パラメータを含んでも良い。また更なるオプションとして、各選択パラメータに関する情報は、前記ｔｒａｃｅ ｓｅｓｓｉｏｎ ａｃｔｉｖａｔｉｏｎコマンドに少なくとも一つのフラグを含んでも良い。
【００７１】
オプションとして、前記移動体無線通信装置の動作特性は、前記移動体無線通信装置のモビリティ、前記移動体無線通信装置の呼及び／又はデータトラヒック、前記移動体無線通信装置のメモリ容量、並びに前記移動体無線通信装置のバッテリ寿命の少なくとも一つに関するものであっても良い。
【００７２】
オプションとして、前記ネットワーク特性の測定は、ＭＤＴ（Ｍｉｎｉｍｉｚａｔｉｏｎ ｏｆ Ｄｒｉｖｅ Ｔｅｓｔｉｎｇ）処理において行われても良い。
【００７３】
本発明の他の態様によれば、上述した方法を使用して動作するネットワーク装置を用いて、移動体無線通信装置を設定する方法が提供される。
【００７４】
オプションとして、前記方法は、前記移動体無線通信装置が、ネットワーク特性測定へ参加するための能力を非アクティブ化するように動作する、ことをさらに含んでも良い。また、更なるオプションとして、前記方法は、前記移動体無線通信装置から前記移動体無線通信ネットワーク装置へ、前記移動体無線通信装置のＡＳ（ａｃｃｅｓｓ ｓｔｒａｔｕｍ） Ｃａｐａｂｉｌｉｔｙ、前記少なくとも一つの移動体無線通信装置動作特性、及び前記移動体無線通信装置の種別の少なくとも一つを示す情報を提供する、ことを含んでも良い。
【００７５】
オプションとして、前記方法は、前記少なくとも一つの装置動作特性を、前記移動体無線通信装置の無線能力情報モジュール中の情報として設定する、ことをさらに含んでも良い。
【００７６】
本発明の他の態様によれば、移動体無線通信ネットワーク装置が上述した方法の少なくとも一つを実行することを可能にする命令を含む、コンピュータプログラム、コンピュータプログラム製品又はコンピュータ可読媒体が提供される。
【００７７】
本発明の他の態様によれば、上述したようなコンピュータプログラム、コンピュータプログラム製品若しくはコンピュータ可読媒体を含む、移動体無線通信ネットワーク装置及び／又は移動体無線通信装置が提供される。
【００７８】
本発明の他の態様によれば、移動体無線通信システムが提供される。この移動体無線通信システムは、ネットワーク特性の測定結果を収集し、ネットワーク特性の測定結果が収集されるべき少なくとも一つの移動体無線通信装置を、前記少なくとも一つの移動体無線通信装置の少なくとも一つのパラメータが少なくとも一つの指定された選択パラメータに対応する場合に、選択する、ように動作する移動体無線通信ネットワーク装置と、前記ネットワーク装置による設定に対して動作する移動体無線通信装置と、を備える。前記少なくとも一つの指定された選択パラメータは、少なくとも一つの移動体無線通信装置特性を特定するデータを含む。
【００７９】
オプションとして、前記少なくとも一つの移動体無線通信装置特性は、前記移動体無線通信装置の動作特性を含む。更なるオプションとして、前記移動体無線通信装置動作特性は、前記移動体無線通信装置に対して設定されても良い。更なるオプションとして、前記少なくとも一つの移動体無線通信装置特性は、移動体無線通信装置の種別を特定するデータを含んでも良い。
【００８０】
オプションとして、前記移動体無線通信装置の種別は、移動機識別情報(例えば、所謂ＩＭＥＩ(Ｉｎｔｅｒｎａｔｉｏｎａｌ Ｍｏｂｉｌｅ Ｅｑｕｉｐｍｅｎｔ Ｉｄｅｎｔｉｔｙ))のＴＡＣ（Ｔｙｐｅ ｏｆ Ａｌｌｏｃａｔｉｏｎ Ｃｏｄｅ）情報フィールドに含まれても良い。
【００８１】
オプションとして、前記移動体無線通信装置の種別を特定するデータは、ＭＴＣ（Ｍａｃｈｉｎｅ−Ｔｙｐｅ Ｃｏｍｍｕｎｉｃａｔｉｏｎｓ）移動無線通信装置を前記ネットワーク装置によるネットワーク特性の測定結果の取得に含めないことを、指定するデータを含んでも良い。
【００８２】
オプションとして、移動体無線通信装置の種別を特定するデータは、ＭＴＣ（Ｍａｃｈｉｎｅ−Ｔｙｐｅ Ｃｏｍｍｕｎｉｃａｔｉｏｎｓ）移動無線通信装置を、ユーザの承諾又は装置のローミング特性を考慮すること無く、前記ネットワーク装置によるネットワーク特性の測定結果の取得に含めることを、指定するデータを含んでも良い。
【００８３】
オプションとして、前記ネットワーク装置がネットワーク特性の測定結果を取得すべき前記移動体無線通信装置は、当該移動体無線通信装置の複数のパラメータの各々が指定された複数の選択パラメータの内で対応する指定された選択パラメータを有している場合に、選択されても良い。
【００８４】
オプションとして、前記ネットワーク装置は、前記少なくとも一つの移動体無線通信装置から、前記移動体無線通信装置のＡＳ（ａｃｃｅｓｓ ｓｔｒａｔｕｍ） Ｃａｐａｂｉｌｉｔｙ、前記少なくとも一つの移動体無線通信装置動作特性、及び前記移動体無線通信装置の種別の少なくとも一つを示す情報を検索(収集)する、ように動作しても良い。
【００８５】
オプションとして、前記ネットワーク装置は、前記移動体無線通信装置を前記ネットワーク装置へ初期登録する際に、前記情報を検索(収集)するように動作しても良い。
【００８６】
オプションとして、前記ネットワーク装置は、取得した指示情報を記憶するよう動作しても良い。前記情報は、前記選択パラメータの少なくとも一部を形成するために選択可能である。
【００８７】
オプションとして、前記ネットワーク装置は、前記記憶された取得した指示情報を転送するよう動作しても良い。
【００８８】
オプションとして、前記システムは、第１及び第２の演算エレメントを備えても良い。前記第１の演算エレメントは、前記第２の演算エレメントに対して、前記選択パラメータを含む指示を転送するように動作する。前記第２の演算エレメントは、前記指示の受信に応じて、前記選択パラメータと一致するパラメータを有する１以上の移動体無線通信装置からのネットワーク特性の測定結果の収集を発動する。
【００８９】
オプションとして、前記選択パラメータを含む前記指示は、ｔｒａｃｅ ｓｅｓｓｉｏｎ ａｃｔｉｖａｔｉｏｎコマンドを含んでも良い。また、更なるオプションとして、各選択パラメータに関する情報は、前記ｔｒａｃｅ ｓｅｓｓｉｏｎ ａｃｔｉｖａｔｉｏｎコマンドに少なくとも一つのフラグを含んでも良い。更なるオプションとして、前記移動体無線通信装置の種別に関連するフラグ情報は、ＴＡＣ（Ｔｙｐｅ ｏｆ Ａｌｌｏｃａｔｉｏｎ Ｃｏｄｅ）情報フィールドに含まれても良い。更なるオプションとして、前記移動体無線通信装置の種別は、前記ＴＡＣ情報フィールド中で伝達されても良い。
【００９０】
オプションとして、前記移動体無線通信装置の少なくとも一つの動作特性は、前記移動体無線通信装置のモビリティ、前記移動体無線通信装置の呼及び／又はデータトラヒック、前記移動体無線通信装置のメモリ容量、並びに前記移動体無線通信装置のバッテリ寿命の少なくとも一つに関するものであっても良い。
【００９１】
オプションとして、前記システムは、前記ネットワーク特性の測定が、ＭＤＴ（Ｍｉｎｉｍｉｚａｔｉｏｎ ｏｆ Ｄｒｉｖｅ Ｔｅｓｔｉｎｇ）処理において行われるように配置されても良い。
【００９２】
オプションとして、前記移動体無線通信装置は、ネットワーク特性測定へ参加するための能力を非アクティブ化するように動作する。
【００９３】
オプションとして、前記移動体無線通信装置は、前記移動体無線通信ネットワーク装置へ、前記移動体無線通信装置のＡＳ（ａｃｃｅｓｓ ｓｔｒａｔｕｍ） Ｃａｐａｂｉｌｉｔｙ、前記少なくとも一つの移動体無線通信装置動作特性、及び前記移動体無線通信装置の種別の少なくとも一つを示す情報を提供するように動作しても良い。
【００９４】
オプションとして、前記移動体無線通信装置は、前記少なくとも一つの装置動作特性を、無線能力情報モジュール中の情報として設定するように動作しても良い。
【発明の効果】
【００９５】
本発明によれば、既存処理に対して利点があるＭＤＴ処理を提供すること、特に、このようなＭＤＴ処理を、既存装置に対する利点を示すように実施する移動体無線通信ネットワーク装置及び移動体無線通信装置、並びにこれらに関連した動作方法を提供することが可能である。
【図面の簡単な説明】
【００９６】
【図１】図１は、ＬＴＥネットワークにおける現行のＭＤＴ処理のための概略的な処理シグナリングフローを示したシーケンス図である。
【図２】図２は、ＵＭＴＳネットワークにおける現行のＭＤＴ処理のための概略的な処理シグナリングフローを示したシーケンス図である。
【図３】図３は、ＭＤＴ処理へ参加するＵＥを選択する現行処理のための概略的な処理シグナリングフローを示したシーケンス図である。
【図４Ａ】図４Ａは、ＭＤＴ処理へ参加するＵＥ装置を選択する本発明の第１の１以上の実施形態に係る処理のための、概略的な処理シグナリングフローの一部分を示したシーケンス図である。
【図４Ｂ】図４Ｂは、ＭＤＴ処理へ参加するＵＥ装置を選択する本発明の第１の１以上の実施形態に係る処理のための、概略的な処理シグナリングフローの残り部分を示したシーケンス図である。
【図５】図５は、ＭＤＴ処理へ参加するＵＥ装置を選択する本発明の第２の１以上の実施形態に係る処理のための、概略的な処理シグナリングフローを示したシーケンス図である。
【図６】図６は、本発明の第１又は第２の１以上の実施形態に係る移動体無線通信ＵＥ(Ｕｓｅｒ Ｅｑｕｉｐｍｅｎｔ)の概略図である。
【図７】図７は、本発明の第１又は第２の１以上の実施形態に係る移動体無線ネットワーク装置の概略図である。
【発明を実施するための形態】
【００９７】
以下、本発明の１以上の実施形態を、ほんの一例として、図面を参照して説明する。
【００９８】
図１は、移動体無線通信ネットワークの複数の装置、すなわち、ＥＭ(Ｅｌｅｍｅｎｔ Ｍａｎａｇｅｒ) １００と、ＭＭＥ(Ｍｏｂｉｌｉｔｙ Ｍａｎａｇｅｍｅｎｔ Ｅｎｔｉｔｙ) １０２と、ｅＮＢ(ｅｖｏｌｖｅｄ ＮｏｄｅＢ) １０４と、複数のＵＥ(Ｕｓｅｒ Ｅｑｕｉｐｍｅｎｔ)装置ＵＥ１(１０６(１))〜ＵＥｎ(１０６(ｎ))と、ＴＣＥ(Ｔｒａｃｅ Ｃｏｌｌｅｃｔｉｏｎ Ｅｎｔｉｔｙ) １０８(オプション的な配置においては、ＥＭと同一場所、すなわち、同一の物理エンティテイ又はマシンに配置され得る)と、を概略的に示している。また、これらの装置間におけるデータ及び／又はメッセージのフロー、並びにＬＴＥネットワークにおける現行のＭＤＴ処理中に装置により行われる動作も示されている。
【００９９】
ＥＭ １００は、ネットワーク・マネジメント・エンティティであり、その役割は、ｅＮＢ １０４におけるＵＥ ＭＤＴ測定を含む、ネットワーク・エレメントの機能を設定することである。ｅＮＢ １０４(或いは、Ｅ−ＵＴＲＡＮが無線アクセスとして用いられる場合にはＬＴＥ基地局)は、ＭＤＴ測定収集に参加するＵＥ装置を選択し、且つＵＥに対してＭＤＴ測定を設定する責務を担う。すなわち、無線ネットワークは、ＵＥに対する無線レベルシグナリングである無線リソース設定(Ｒａｄｉｏ Ｒｅｓｏｕｒｃｅ Ｃｏｎｇｆｉｇｕｒａｔｉｏｎ)及び測定設定(Ｍｅａｓｕｒｅｍｅｎｔ Ｃｏｎｆｉｇｕｒａｔｉｏｎ)を送出する。この図示された例において、ＵＥは、ＭＤＴ処理を目的とする無線測定を行うことが可能な端末機器、装置／ハンドセットである。
【０１００】
初めに、ＥＭ １００は、ｅＮＢ １０４に対して、Ｔｒａｃｅ Ｓｅｓｓｉｏｎ Ａｃｔｉｖａｔｉｏｎリクエスト１１０(ＵＥ ｍｅａｓｕｒｅｍｅｎｔ ｃｏｎｆｉｇｕｒａｔｉｏｎを含む)を送信する。ＵＥ ｍｅａｓｕｒｅｍｅｎｔ ｃｏｎｆｉｇｕｒａｔｉｏｎは、ＵＥ装置能力(ＵＥ ｄｅｖｉｃｅ ｃａｐａｂｉｌｉｔｙ)を示す情報を含み得る。すなわち、ＥＭ １００が指定したＵＥ装置の種別を、Ｔｒａｃｅ Ｓｅｓｓｉｏｎ内に含めるべきである。
【０１０１】
ｔｒａｃｅ ｓｅｓｓｉｏｎ ａｃｔｉｖａｔｉｏｎリクエスト１１０の受信に応じて、ｅＮＢ １０４は、Ｔｒａｃｅ Ｓｅｓｓｉｏｎを実施し、トレースパラメータ１１２を保存する。
【０１０２】
また、ｅＮＢ １０４は、１１４ ＵＥ １０６(１)〜１０６(ｎ)から、ＵＥ装置能力を検索(収集)する。ＵＥ １０６(１)〜１０６(ｎ)用のＵＥ装置能力を受信したことに応じて、ｅＮＢ １０４は、１１６ ＭＤＴ処理の一部として測定結果が収集されるＵＥ １０６(１)〜１０６(ｎ)を選択する。この選択は、ＵＥｍｅａｓｕｒｅｍｅｎｔ ｃｏｎｆｉｇｕｒａｔｉｏｎデータの一部としてＥＭ １００から受信した装置能力要件に基づくものである。ｅＮＢ １０４は、第１のＴｒａｃｅ Ａｃｔｉｖａｔｉｏｎ／ＵＥ ｍｅａｓｕｒｅｍｅｎｔ ｃｏｎｆｉｇｕｒａｔｉｏｎ信号１１８(１)を、第１の選択されたＵＥ １０６(１)、すなわち、ＥＭ １００により指定されたものと一致する能力を有し、且つこのためにｅＮＢ １０４により選択されたＵＥへ送信する。ｅＮＢ １０４は、必要に応じて、更なるＴｒａｃｅ Ａｃｔｉｖａｔｉｏｎ／ＵＥ ｍｅａｓｕｒｅｍｅｎｔ ｃｏｎｆｉｇｕｒａｔｉｏｎ信号１１８(ｎ)を、ｅＮＢ １０４により選択された、その能力がＥＭ １００により指定されたものと一致する１以上の残りのＵＥ １０６(２)〜１０６(ｎ)各々へ送信するよう動作する。
【０１０３】
第１の選択されたＵＥ １０６(１)は、ｅＮＢ １０４からＴｒａｃｅ Ａｃｔｉｖａｔｉｏｎ／ＵＥ ｍｅａｓｕｒｅｍｅｎｔ ｃｏｎｆｉｇｕｒａｔｉｏｎ信号１１８(１)を受信した後、ＵＥ ｍｅａｓｕｒｅｍｅｎｔ ｒｅｐｏｒｔ １２０(１)を、ＲＲＣ(Ｒａｄｉｏ Ｒｅｓｏｕｒｃｅ Ｃｏｎｔｒｏｌ)を用いてｅＮＢ １０４へ送信する。ｅＮＢ １０４でのＵＥ ｍｅａｓｕｒｅｍｅｎｔ ｒｅｐｏｒｔ １２０(１)の受信に応じて、ＭＭＥ １０２は、１２２(１) 恒久的なＵＥ(加入者)識別子 ＭＤＴ設定(すなわち、ＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)、又はＩＭＥＩ(ＳＶ)(Ｉｎｔｅｒｎａｔｉｏｎａｌ Ｍｏｂｉｌｅ Ｅｑｕｉｐｍｅｎｔ Ｉｄｅｎｔｉｔｙ(Ｓｏｆｔｗａｒｅ Ｖｅｒｓｉｏｎ)))を検索(収集)する。検索(収集)した特定のｔｒａｃｅ ｓｅｓｓｉｏｎのための恒久的なＵＥ(加入者)識別子 ＭＤＴ設定は、１２４(１) Ｅ−ＵＴＲＡＮが恒久的なＵＥ識別子を有していない場合に、ＴＣＥ １０８へ転送される。ｅＮＢ １０４は、１２６(１) ＵＥ測定結果をＴｒａｃｅ Ｒｅｃｏｒｄｓ記憶モジュールへ保存するよう動作する。
【０１０４】
これらのステップ１２０(１)、１２２(１)、１２４(１)及び１２６(１)に対応するステップ１２０(ｎ)、１２２(ｎ)、１２４(ｎ)及び１２６(ｎ)は、それぞれ、ｅＮＢ １０４により選択された、その能力がＥＭ １００により指定されたものと一致する１以上の残りのＵＥ １０６(２)〜１０６(ｎ)各々に関連して実行される。
【０１０５】
ステップ１２０(１)〜１２０(ｎ)、１２２(１)〜１２２(ｎ)、１２４(１)〜１２４(ｎ)及び１２６(１)〜１２６(ｎ)が完了した際、ｅＮＢ １０４は、Ｔｒａｃｅ Ｒｅｃｏｒｄ ｒｅｐｏｒｔ １２８をＴＣＥ １０８へ転送する。
【０１０６】
ｅＮＢ １０４からのＴｒａｃｅ Ｒｅｃｏｒｄ ｒｅｐｏｒｔの受信に応じて、ＴＣＥ １０８は、１３０ Ｔｒａｃｅ Ｒｅｆｅｒｅｎｃｅ及びＴｒａｃｅ Ｒｅｃｏｒｄｉｎｇ Ｓｅｓｓｉｏｎ Ｒｅｆｅｒｅｎｃｅに基づいて、Ｔｒａｃｅ Ｒｅｃｏｒｄｓを恒久的なＵＥ識別子と紐付けるよう動作する。
【０１０７】
同様の処理を、図２を参照して説明する。図２は、移動体無線通信システムの装置同士間におけるデータ及び／又はメッセージのフロー、並びにＵＭＴＳネットワークにおける現行のＭＤＴ処理中に装置により行われる動作を示している。
【０１０８】
図２は、移動体無線通信ネットワークの複数の装置、すなわち、ＥＭ(Ｅｌｅｍｅｎｔ Ｍａｎａｇｅｒ) ２００と、ＲＮＣ(Ｒａｄｉｏ Ｎｅｔｗｏｒｋ Ｃｏｎｔｒｏｌｌｅｒ) ２０２と、複数のＵＥ(Ｕｓｅｒ Ｅｑｕｉｐｍｅｎｔ)装置ＵＥ１(２０４(１))〜ＵＥｎ(２０４(ｎ))と、ＴＣＥ(Ｔｒａｃｅ Ｃｏｌｌｅｃｔｉｏｎ Ｅｎｔｉｔｙ) １０８(オプション的な配置においては、ＥＭと同一場所、すなわち、同一の物理エンティテイ又はマシンに配置され得る)と、を概略的に示している。また、上述した通り、これらの装置間におけるデータ及び／又はメッセージのフロー、並びにＭＤＴ処理中に装置により行われる動作も示されている。
【０１０９】
ＥＭ ２００は、ネットワーク・マネジメント・エンティティであり、その役割は、ＲＮＣ ２０２に対するＵＥ ＭＤＴ測定を含む、ネットワーク・エレメントの機能を設定することである。ＲＮＣ ２０２(或いは、ＵＴＲＡＮが無線アクセスとして用いられる場合にはＵＭＴＳ基地局)は、ＭＤＴ測定収集に参加するＵＥ装置を選択し、且つＵＥに対してＭＤＴ測定を設定する責務を担う。すなわち、無線ネットワークは、ＵＥに対する無線レベルシグナリングであるＲａｄｉｏ Ｒｅｓｏｕｒｃｅ Ｃｏｎｇｆｉｇｕｒａｔｉｏｎ及びＭｅａｓｕｒｅｍｅｎｔ Ｃｏｎｆｉｇｕｒａｔｉｏｎを送出する。この図示された例において、ＵＥは、ＭＤＴ処理を目的とする無線測定を行うことが可能な端末機器、装置／ハンドセットである。
【０１１０】
初めに、ＥＭ ２００は、ＲＮＣ ２０２に対して、Ｔｒａｃｅ Ｓｅｓｓｉｏｎ Ａｃｔｉｖａｔｉｏｎリクエスト２０８(ＵＥ ｍｅａｓｕｒｅｍｅｎｔ ｃｏｎｆｉｇｕｒａｔｉｏｎを含む)を送信する。ＵＥ ｍｅａｓｕｒｅｍｅｎｔ ｃｏｎｆｉｇｕｒａｔｉｏｎは、ＵＥ装置能力(ＵＥ ｄｅｖｉｃｅ ｃａｐａｂｉｌｉｔｙ)を示す情報を含み得る。すなわち、ＥＭ ２００が指定したＵＥ装置の種別を、Ｔｒａｃｅ Ｓｅｓｓｉｏｎ内に含めるべきである。
【０１１１】
ｔｒａｃｅ ｓｅｓｓｉｏｎ ａｃｔｉｖａｔｉｏｎリクエスト２０８の受信に応じて、ＲＮＣ ２０２は、Ｔｒａｃｅ Ｓｅｓｓｉｏｎを実施し、トレースパラメータ２１０を保存する。
【０１１２】
また、ＲＮＣ ２０２は、２１２ ＵＥ ２０４(１)〜２０４(ｎ)から、ＵＥ装置能力を検索(回収)する。ＵＥ ２０４(１)〜２０４(ｎ)用のＵＥ装置能力を受信したことに応じて、ＲＮＣ ２０２は、２１４ ＭＤＴ処理の一部として測定結果が収集されるＵＥ ２０４(１)〜２０４(ｎ)を選択する。この選択は、ＵＥｍｅａｓｕｒｅｍｅｎｔ ｃｏｎｆｉｇｕｒａｔｉｏｎデータの一部としてＥＭ ２００から受信した装置能力要件に基づくものである。ＲＮＣ ２０２は、第１のＴｒａｃｅ Ａｃｔｉｖａｔｉｏｎ／ＵＥ ｍｅａｓｕｒｅｍｅｎｔ ｃｏｎｆｉｇｕｒａｔｉｏｎ信号２１６(１)を、第１の選択されたＵＥ ２０４(１)、すなわち、ＥＭ ２００により指定されたものと一致する能力を有し、且つこのためにＲＮＣ ２０２により選択されたＵＥへ送信する。ＲＮＣ ２０２は、必要に応じて、更なるＴｒａｃｅ Ａｃｔｉｖａｔｉｏｎ／ＵＥ ｍｅａｓｕｒｅｍｅｎｔ ｃｏｎｆｉｇｕｒａｔｉｏｎ信号２１６(ｎ)を、ＲＮＣ ２０２により選択された、その能力がＥＭ ２００により指定されたものと一致する１以上の残りのＵＥ ２０４(２)〜２０４(ｎ)各々へ送信するよう動作する。
【０１１３】
第１の選択されたＵＥ ２０４(１)は、ＲＮＣ ２０２からＴｒａｃｅ Ａｃｔｉｖａｔｉｏｎ／ＵＥ ｍｅａｓｕｒｅｍｅｎｔ ｃｏｎｆｉｇｕｒａｔｉｏｎ信号２１６(１)を受信すると、ＵＥ ｍｅａｓｕｒｅｍｅｎｔ ｒｅｐｏｒｔ ２１８(１)を、ＲＲＣ(Ｒａｄｉｏ Ｒｅｓｏｕｒｃｅ Ｃｏｎｔｒｏｌ)を用いてＲＮＣ ２０２へ送信する。ＲＮＣ ２０２でのＵＥ ｍｅａｓｕｒｅｍｅｎｔ ｒｅｐｏｒｔ ２１８(１)の受信に応じて、ＲＮＣ ２０２は、２２０(１) ＵＥ測定結果をＴｒａｃｅ Ｒｅｃｏｒｄｓ記憶モジュールへ保存する。
【０１１４】
これらのステップ２１６(１)、２１８(１)及び２２０(１)に対応するステップ２１６(ｎ)、２１８(ｎ)及び２２０(ｎ)は、それぞれ、ＲＮＣ ２０２により選択された、その能力がＥＭ ２００により指定されたものと一致する１以上の残りのＵＥ ２０４(２)〜２０４(ｎ)各々に関連して実行される。
【０１１５】
ステップ２１６(１)〜２１６(ｎ)、２１８(１)〜２１８(ｎ)及び２２０(１)〜２２０(ｎ)が完了した際、ＲＮＣ ２０２は、Ｔｒａｃｅ Ｒｅｃｏｒｄ ｒｅｐｏｒｔ ２２２をＴＣＥ ２０６へ転送する。
【０１１６】
ＲＮＣ ２０２からのＴｒａｃｅ Ｒｅｃｏｒｄ ｒｅｐｏｒｔの受信に応じて、ＴＣＥ ２０６は、２２４ Ｔｒａｃｅ Ｒｅｆｅｒｅｎｃｅ及びＴｒａｃｅ Ｒｅｃｏｒｄｉｎｇ Ｓｅｓｓｉｏｎ Ｒｅｆｅｒｅｎｃｅに基づいて、Ｔｒａｃｅ Ｒｅｃｏｒｄｓを恒久的なＵＥ識別子と紐付けるよう動作する。
【０１１７】
図３は、ＭＤＴ処理へ参加するＵＥを選択する現行処理のための概略的な処理シグナリングフローを示している。このフローは、ＭＤＴ目的のＵＥ選択のために、ＳＡ５ ＴＳ ３２．４２２から抜粋したものである。
【０１１８】
移動体無線通信ネットワークの複数の装置が、ＭＤＴ処理へ参加するＵＥを選択する処理中における装置同士間でのデータ及び／又はメッセージフローと共に示されている。これらの装置には、ＵＥ ３００と、ＲＡＮ(ｅＮＢ) ３０２と、ＣＮ(Ｃｏｒｅ Ｎｅｔｗｏｒｋ) ３０４と、ＥＭ ３０６とが含まれる。
【０１１９】
ＵＥ ３００は、ＣＮ ３０４への登録の際、自身のＭＤＴ能力(ＭＤＴ Ｃａｐａｂｉｌｉｔｙ)情報を、Ｅ−ＵＴＲＡＮのためのＡＳ(Ａｃｃｅｓｓ Ｓｔｒａｔｕｍ) Ｃａｐａｂｉｌｉｔｙの一部としてコアネットワークへ転送する。この情報は、ＣＮにおいて記憶される。
【０１２０】
ＭＤＴ測定のアクティブ化処理３１０は、ＥＭ ３０６が、３１２ ＭＤＴ処理のためのＵＥ無線測定をＲＡＮ(ｅＮＢ) ３０２からトリガするステップを含む。ＥＭ ３０６は、Ｔｒａｃｅ Ｓｅｓｓｉｏｎ Ａｃｔｉｖａｔｉｏｎコマンド３１４をｅＮＢ ３０２へ送信するよう動作する。このコマンドは、図示の例ではＵＴＲＡＮ／Ｅ−ＵＴＲＡＮ無線セルのリスト、装置能力(Ｄｅｖｉｃｅ ｃａｐａｂｉｌｉｔｙ)要件(例えば、最小限のバッテリ状態等)、測定のリスト(例えば、考えられる無線技術に関連した測定無線受信レベル(ＬＴＥのためのＲＳＲＰ(Ｒｅｆｅｒｅｎｃｅ Ｓｉｇｎａｌ Ｒｅｃｅｉｖｅｄ Ｐｏｗｅｒ)／ＲＳＲＱ(Ｒｅｆｅｒｅｎｃｅ Ｓｉｇｎａｌ Ｒｅｃｅｉｖｅｄ Ｑｕａｌｉｔｙ))、測定イベントに依存する報告トリガのリスト(例えば、周期的なＲＳＲＰ／ＲＳＲＱ測定)、報告間隔(即時ＭＤＴ(Ｉｍｍｅｄｉａｔｅ ＭＤＴ)に限り)、報告量(即時ＭＤＴに限り)、イベント閾値(即時ＭＤＴに限り)、ロギング間隔(ログＭＤＴ(Ｌｏｇｇｅｄ ＭＤＴ)に限り)、ロギング期間(ログＭＤＴに限り)から成る、ＵＥ ｍｅａｓｕｒｅｍｅｎｔ ｃｏｎｆｉｇｕｒａｔｉｏｎ情報を含む。
【０１２１】
即時及びログＭＤＴについては、前述した通りである。
【０１２２】
ＵＥ ３００は、ＲＡＮ(ｅＮＢ) ３０２とのコネクションを確立したい場合、ステップ３１８、３２０及び３２２を含むＲＲＣ Ｃｏｎｎｅｃｔｉｏｎ Ｓｅｔ−ｕｐ処理３１６を開始する。初めに、ＵＥ ３００は、ＲＲＣ Ｃｏｎｎｅｃｔｉｏｎ Ｒｅｑｕｅｓｔ ３１８をｅＮＢ ３０２へ送信する。このＲＲＣ Ｃｏｎｎｅｃｔｉｏｎ Ｒｅｑｕｅｓｔ ３１８は、ＵＥ識別子(ＩＭＳＩ、ＴＭＳＩ等)、及びＲＲＣ確立要因(図示の例では、低優先度アクセス)を含んでいる。
【０１２３】
ＲＲＣ Ｃｏｎｎｅｃｔｉｏｎ Ｒｅｑｕｅｓｔ ３１８の受信に応じて、ｅＮＢ ３０２は、ＲＲＣ Ｃｏｎｎｅｃｔｉｏｎ Ｓｅｔ−ｕｐメッセージ ３２０をＵＥ ３００へ送信する。このＲＲＣ Ｃｏｎｎｅｃｔｉｏｎ Ｓｅｔ−ｕｐメッセージ３２０は、ＵＥ ３００とｅＮＢ ３０２の間でＤＣＨ(ｄｅｄｉｃａｔｅｄ ｃｈａｎｎｅｌ)を確立するのに必要なパラメータを含む。
【０１２４】
ＲＲＣ Ｃｏｎｎｅｃｔｉｏｎ Ｓｅｔ−ｕｐメッセージ３２０の受信に際して、ＵＥ ３００は、ＩＥ(ｉｎｆｏｒｍａｔｉｏｎ ｅｌｅｍｅｎｔ)値同士を比較し、値が同一であれば、ＲＲＣ Ｃｏｎｎｅｃｔｉｏｎ Ｓｅｔ−ｕｐ Ｃｏｍｐｌｅｔｅメッセージ３２２を、ＤＣＨを介してｅＮＢへ送信する。このＲＲＣ Ｃｏｎｎｅｃｔｉｏｎ Ｓｅｔ−ｕｐ Ｃｏｍｐｌｅｔｅメッセージ３２２は、ＮＡＳ−ＰＤＵ(Ｎｏｎ−Ａｃｃｅｓｓ Ｓｔｒａｔｕｍ Ｐａｃｋｅｔ Ｄａｔａ Ｕｎｉｔｓ)によって伝達される。
【０１２５】
Ｔｒａｃｅ Ｒｅｃｏｒｄｉｎｇ Ｓｅｓｓｉｏｎは、ｅＮＢ ３０２がＣＮ ３０４からＩｎｉｔｉａｌ ＵＥ Ｃｏｎｔｅｘｔ Ｓｅｔｕｐ Ｒｅｑｕｅｓｔメッセージ３２６(すなわち、ｔｒａｃｅ ｓｅｓｓｉｏｎ ａｃｔｉｖａｔｉｏｎリクエスト)を介してトレースの制御及び設定パラメータ(ＭＤＴ Ｃａｐａｂｉｌｉｔｙを含むＵＥ ＡＳ Ｃａｐａｂｉｌｉｔｙ)を受信した場合に、ｅＮＢ ３０２によって開始される。このようなＩｎｉｔｉａｌ ＵＥ Ｃｏｎｔｅｘｔ Ｓｅｔｕｐ Ｒｅｑｕｅｓｔメッセージ３２６は、ｅＮＢ ３０２からのＩｎｉｔｉａｌ ＵＥメッセージ３２４の受信に応じて、ＣＮ ３０４によりｅＮＢ ３０２へ送信される。すなわち、ＵＥ ３００が存在するエリアにおいてＭＤＴ測定を実施する必要がある場合、ｅＮＢ ３０２は、示されたＵＥ ＭＤＴ Ｃａｐａｂｉｌｉｔｙに応じて、３２８ ＵＥ ３００を選択し、ＭＤＴ測定を行うように設定する。ＵＥ ３００は、ｅＮＢ ３０２からの指示３３０の受信に際して、ログＭＤＴ処理を開始するように指示される。
【０１２６】
図示の例では、ｔｒａｃｅ ｓｅｓｓｉｏｎ ａｃｔｉｖａｔｉｏｎリクエスト(すなわち、Ｉｎｉｔｉａｌ ＵＥ Ｃｏｎｔｅｘｔ Ｓｅｔｕｐ Ｒｅｑｕｅｓｔ ３２６)がＣＮ ３０４から特定のＵＥ ３００のために受信され、且つＭＤＴ ＵＥ選択条件がＵＥ ３００に対して満たされる場合に、ログＭＤＴのｔｒａｃｅ ｒｅｃｏｒｄｉｎｇ ｓｅｓｓｉｏｎがｅＮＢ ３０２においてＵＥ ３００のために開始されるべきである。ｅＮＢ ３０２は、対応するＭＤＴ ＲＲＣ測定をＵＥ ３００に設定するよう動作する。選択条件を満たさない場合、ｅＮＢ ３０２は、トレースの制御及び設定パラメータを記憶し、ＵＥが他のｅＮＢへハンドオーバした場合にこれらのパラメータを転送するよう動作する。
【０１２７】
上述した処理においては、ＵＥ装置が、アタッチするＲＡＮ(すなわち、装置の位置)及びＵＥのＭＤＴ Ｃａｐａｂｉｌｉｔｙ(すなわち、装置がＭＤＴ可能である必要があること)に基づいて、ＭＤＴ処理に参加するために選択される。
【０１２８】
ＭＤＴ測定設定(ＭＤＴ ｍｅａｓｕｒｅｍｅｎｔ ｃｏｎｆｉｇｕｒａｔｉｏｎ)において、選択されるＵＥ装置の種別を考慮するメカニズムは存在しない。また、収集されたトレースからＵＥ装置の選択を改善するといったネットワークにおけるインテリジェントな知識等のメカニズムも存在しない。何故なら、ユーザ位置情報の存在に因りデータが匿名(“ａｎｏｎｙｍｉｚｅｄ”)であるので、これらが特定のＵＥへはリンクされ得ないためである。
【０１２９】
当然のことながら、ＭＤＴ処理の実施に際し、非ＭＴＣデバイスに加えてＭＴＣを考慮するならば(すなわち、図１〜図３に関連して上述したような現状であれば)、収集されるデータ量は非常に多い。ネットワークは、ＭＤＴ処理のために装置を選択するに際して、ＭＴＣと非ＭＴＣとを区別しない。ＭＤＴ処理の間にＭＴＣデバイスから収集されるデータは、一般に、非ＭＴＣデバイスから収集されるデータと比して有用では無い。このため、大量の収集データが有用では無い(一般に、ＭＴＣデバイスから収集されるデータに対応する部分)。結果として、大量のシグナリング・オーバヘッドが、ＭＴＣデバイスとの通信のために潜在的に浪費されている。
【０１３０】
図４Ａ及び図４Ｂは、ＭＤＴ処理へ参加するＵＥ装置を選択する本発明の第１の１以上の実施形態に係る処理のための、概略的な処理シグナリングフローを示している。
【０１３１】
移動体無線通信ネットワークの複数の装置が、ＭＤＴ処理へ参加するＵＥを選択する処理中における装置同士間でのデータ及び／又はメッセージフローと共に示されている。これらの装置には、ＵＥ ４００と、ＲＡＮ(ｅＮＢ) ４０２と、ＣＮ ４０４と、ＭＴＣ(Ｍａｃｈｉｎｅ−Ｔｙｐｅ Ｃｏｍｍｕｎｉｃａｔｉｏｎ)サーバ４０６と、ＥＭ ４０８とが含まれる。
【０１３２】
大略、ネットワークは、ｍａｃｈｉｎｅ ｔｙｐｅ ｃｏｍｍｕｎｉｃａｔｉｏｎｓに関する特定の装置特性(例えば、データ、メモリ、バッテリ、電力、モビリティ等)を考慮し、ＵＥ無線設定及び／又はＵＥベースのネットワーク特性測定データ収集を可能とするように動作する。
【０１３３】
ＭＴＣサーバ４０６は、４１０ 装置特性(例えば、モビリティ、トラヒック、メモリ及びバッテリ等)を、ＵＥ ４００のアプリケーションレイヤ(例えば、ＯＭＡ ＤＭ(Ｏｐｅｎ Ｍｏｂｉｌｅ Ａｌｌｉａｎｃｅ Ｄｅｖｉｃｅ Ｍａｎａｇｅｍｅｎｔ)を用いるＮＡＳレイヤ)に設定するよう動作する。これらの特性は、装置の存続期間を通じて適用可能である。
【０１３４】
更にアプリケーションレイヤにより提供される装置特性に対して、ＵＥ装置４００は、４１２ 自身のＭＤＴ Ｃａｐａｂｉｌｉｔｙを非アクティブ化(すわなち、静的設定)するよう動作する。図４Ａにも示されるオプション的な配置において、ＵＥ装置４００は、４１２ 装置特性を、ＵＥ ４００の無線能力情報モジュール中の新たな情報として設定するように動作する。ＵＥ ４００は、専用の無線シグナリングメッセージ(例えば、ＲＲＣメッセージ)に、ＵＥ ４００がそのＭＤＴ Ｃａｐａｂｉｌｉｔｙを非アクティブ化した旨のインディケーション、及び／又はＵＥ ４００の装置特性を示すインディケーションを含めるように動作する。
【０１３５】
ＵＥ ４００、ＲＡＮ(ｅＮＢ) ４０２及びＣＮ ４０４の間におけるＵＥ ＡＳ Ｃａｐａｂｉｌｉｔｙ交換４１４を説明する。ＵＥ ＡＳ Ｃａｐａｂｉｌｉｔｙ交換は、ＣＮ ４０４へのＵＥ ４００の初期登録の際に生じる。
【０１３６】
初期登録処理の間、ＵＥ ４００は、ステップ４１８、４２０及び４２２を含むＲＲＣ Ｃｏｎｎｅｃｔｉｏｎ Ｓｅｔ−ｕｐ処理４１６を開始することによって、ＲＡＮ(ｅＮＢ) ４０２とのコネクションを確立するよう動作する。初めに、ＵＥ ４００は、ＲＲＣ Ｃｏｎｎｅｃｔｉｏｎ Ｒｅｑｕｅｓｔ ４１８をＲＡＮ(ｅＮＢ) ４０２へ送信する。このＲＲＣ Ｃｏｎｎｅｃｔｉｏｎ Ｒｅｑｕｅｓｔ ４１８は、ＵＥ識別子(ＩＭＳＩ、ＴＭＳＩ等)、及びＲＲＣ確立要因(例えば、図示の例では低優先度アクセス)を含む。
【０１３７】
ＲＲＣ Ｃｏｎｎｅｃｔｉｏｎ Ｒｅｑｕｅｓｔ ４１８の受信に応じて、ＲＡＮ(ｅＮＢ) ４０２は、ＲＲＣ Ｃｏｎｎｅｃｔｉｏｎ Ｓｅｔ−ｕｐメッセージ４２０をＵＥ ４００へ送信する。このＲＲＣ Ｃｏｎｎｅｃｔｉｏｎ Ｓｅｔ−ｕｐメッセージ４２０は、ＵＥ ４００とＲＡＮ(ｅＮＢ) ４０２の間でＤＣＨ(ｄｅｄｉｃａｔｅｄ ｃｈａｎｎｅｌ)を確立するのに必要なパラメータを含む。
【０１３８】
ＲＲＣ Ｃｏｎｎｅｃｔｉｏｎ Ｓｅｔ−ｕｐメッセージ４２０がＵＥに対するシグナリング無線ベアラを設定し、以てＵＥは、ＲＲＣ Ｃｏｎｎｅｃｔｉｏｎ Ｓｅｔ−ｕｐ Ｃｏｍｐｌｅｔｅメッセージ４２２を、ＤＣＨを介してＲＡＮ(ｅＮＢ) ４０２へ送信する。このＲＲＣ Ｃｏｎｎｅｃｔｉｏｎ Ｓｅｔ−ｕｐメッセージ４２０は、ＮＡＳ−ＰＤＵ(Ｎｏｎ−Ａｃｃｅｓｓ Ｓｔｒａｔｕｍ Ｐａｃｋｅｔ Ｄａｔａ Ｕｎｉｔｓ) Ａｔｔａｃｈ ｒｅｑｕｅｓｔによって伝達される。これは、所謂、コアネットワークへの初期ＵＥ登録のためのＮＡＳメッセージである。
【０１３９】
ＲＡＮ(ｅＮＢ) ４０２からのＩｎｉｔｉａｌ ＵＥ Ｍｅｓｓａｇｅ ４２４の受信に応じて、Ｉｎｉｔｉａｌ ＵＥ Ｃｏｎｔｅｘｔ Ｒｅｑｕｅｓｔメッセージ４２６が、ＣＮ ４０４によりＲＡＮ(ｅＮＢ) ４０２へ送信される。
【０１４０】
図４Ａに示す処理において、ＣＮ ４０４は、ＲＡＮ(ｅＮＢ) ４０２へＵＥ ＡＳ Ｃａｐａｂｉｌｉｔｙを提供しない。よって、このようなＵＥ ＡＳ Ｃａｐａｂｉｌｉｔｙを取得するために、ＲＡＮ(ｅＮＢ) ４０２は、ＲＲＣ ＵＥ Ｃａｐａｂｉｌｉｔｙ Ｅｎｑｕｉｒｙリクエスト４２８をＵＥ ４００へ送信する。ＲＲＣ ＵＥ Ｃａｐａｂｉｌｉｔｙ Ｅｎｑｕｉｒｙリクエスト４２８の受信に応じて、ＵＥ ４００は、ＵＥ ４００のＵＥ ＡＳ Ｃａｐａｂｉｌｉｔｙを特定するデータを含むメッセージ４３０を送信する。また、このメッセージ４３０は、ＵＥ ４００のＭＤＴ Ｃａｐａｂｉｌｉｔｙが無効化されたか否か(すなわち、“ＯＦＦ”に設定されたか否か)を特定するデータ、及びＵＥ ４００の装置特性(例えば、モビリティ、トラヒック、メモリ及びバッテリ等)を特定するデータのいずれか一方も含む。オプション的な配置においては、メッセージがこれらのデータセットの両者を含んでも良い。
【０１４１】
このデータをＵＥ ４００から(すなわち、メッセージ４３０を介して)受信した際、ＲＡＮ(ｅＮＢ) ４０２は、ＵＥ ｃａｐａｂｉｌｉｔｙ Ｉｎｆｏ Ｉｎｄｉｃａｔｉｏｎメッセージ４３２によって、当該データをＣＮ ４０４へ転送する。このようなデータ(すなわち、ＵＥ ４００のＵＥ ＡＳ Ｃａｐａｂｉｌｉｔｙを特定するデータ、ＵＥ ４００のＭＤＴ Ｃａｐａｂｉｌｉｔｙが無効化されたか否かを特定するデータ、及び／又はＵＥ ４００の装置特性を特定するデータ)は、今後の検索(収集)のためにＣＮ ４０４において記憶される。よって、ＲＡＮ(ｅＮＢ) ４０２は、このようなデータを今後要求する際には、ＲＲＣ ＵＥ Ｃａｐａｂｉｌｉｔｙ Ｅｎｑｕｉｒｙ手順を再び実施する必要は無く、むしろＣＮ ４０４へ要求することによって情報を取得できる。
【０１４２】
図４Ｂに示される配置において、ＭＤＴ測定のアクティブ化処理４３４は、ＥＭ ４０８が、４３６ ＭＤＴ処理のためのＵＥ無線測定をＲＡＮ(ｅＮＢ) ４０２からトリガするステップを含む。ＥＭ ４０８は、Ｔｒａｃｅ Ｓｅｓｓｉｏｎ Ａｃｔｉｖａｔｉｏｎコマンド４３８をＲＡＮ(ｅＮＢ) ４０２へ送信するよう動作する。このコマンド４３８は、図示の例ではＵＴＲＡＮ／Ｅ−ＵＴＲＡＮ無線セルのリスト、装置能力(ｄｅｖｉｃｅ ｃａｐａｂｉｌｉｔｙ)要件(例えば、最小限のバッテリ状態等)、ネットワーク特性測定のために選択されるべきＵＥ装置種別(例えば、ＭＴＣ及び／又は非ＭＴＣ)の指定、少なくとも一つのＵＥ装置特性、すなわち、ネットワーク特性測定に含められる場合にＵＥ装置が有するべき特性(例えば、モビリティ、トラヒック、メモリ及びバッテリ等)の指定、測定のリスト(例えば、考えられる無線技術に関連した測定無線受信レベル(ＬＴＥのためのＲＳＲＰ(Ｒｅｆｅｒｅｎｃｅ Ｓｉｇｎａｌ Ｒｅｃｅｉｖｅｄ Ｐｏｗｅｒ)／ＲＳＲＱ(Ｒｅｆｅｒｅｎｃｅ Ｓｉｇｎａｌ Ｒｅｃｅｉｖｅｄ Ｑｕａｌｉｔｙ))、測定イベントに依存する報告トリガのリスト(例えば、周期的なＲＳＲＰ／ＲＳＲＱ測定)、報告間隔(即時ＭＤＴに限り)、報告量(即時ＭＤＴに限り)、イベント閾値(即時ＭＤＴに限り)、ロギング間隔(ログＭＤＴに限り)、ロギング期間(ログＭＤＴに限り)から成る、ＵＥ ｍｅａｓｕｒｅｍｅｎｔ ｃｏｎｆｉｇｕｒａｔｉｏｎ情報を含む。
【０１４３】
選択されるべきＵＥ装置種別(すなわち、ＭＴＣ及び／又は非ＭＴＣ)は、Ｔｒａｃｅ Ｓｅｓｓｉｏｎ Ａｃｔｉｖａｔｉｏｎコマンド４３８に含まれるＭＴＣデバイスパラメータフラグによって指定される。このＭＴＣデバイスパラメータフラグは、ネットワーク特性測定がＭＴＣデバイスを含むべき場合に“ＯＮ”に設定され、ＭＴＣデバイスをネットワーク特性測定に含めるべきで無い場合には“ＯＦＦ”に設定される。オプション的な配置において、ＭＴＣデバイスパラメータフラグは、ネットワーク特性測定がＭＴＣデバイスを含むべき場合に“ＯＦＦ”に設定され、ＭＴＣデバイスをネットワーク特性測定に含めるべきで無い場合には“ＯＮ”に設定される。
【０１４４】
ネットワーク特性測定に含められる場合にＵＥ装置が有するべき各ＵＥ装置特性は、Ｔｒａｃｅ Ｓｅｓｓｉｏｎ Ａｃｔｉｖａｔｉｏｎコマンド４３８に含まれる対応するＵＥ装置特性パラメータフラグによって指定される。各ＵＥ装置特性パラメータフラグは、ネットワーク特性測定がＵＥ装置特性パラメータフラグの特性に対応する特性を有するＵＥ装置を含むべき場合に“ＯＮ”に設定される。さもなければ、特定の装置特性をネットワーク特性測定において考慮に入れるべきで無い場合には、そのＵＥ装置特性パラメータフラグは“ＯＦＦ”に設定される。
【０１４５】
ＵＥ ４００は、ＲＡＮ(ｅＮＢ) ４０２とのコネクションを確立したい場合、ステップ４４２、４４４及び４４６を含むＲＲＣ Ｃｏｎｎｅｃｔｉｏｎ Ｓｅｔ−ｕｐ処理４４０を開始する。初めに、ＵＥ ４００は、ＲＲＣ Ｃｏｎｎｅｃｔｉｏｎ Ｒｅｑｕｅｓｔ ４４２をＲＡＮ(ｅＮＢ) ４０２へ送信する。このＲＲＣ Ｃｏｎｎｅｃｔｉｏｎ Ｒｅｑｕｅｓｔ ４４２は、ＵＥ識別子(ＩＭＳＩ、ＴＭＳＩ等)及びＲＲＣ確立要因を含んでいる。
【０１４６】
ＲＲＣ Ｃｏｎｎｅｃｔｉｏｎ Ｒｅｑｕｅｓｔ ４４２の受信に応じて、ＲＡＮ(ｅＮＢ) ４０２は、ＲＲＣ Ｃｏｎｎｅｃｔｉｏｎ Ｓｅｔ−ｕｐメッセージ４４４をＵＥ ４００へ送信する。このＲＲＣ Ｃｏｎｎｅｃｔｉｏｎ Ｓｅｔ−ｕｐメッセージ３２０は、ＵＥ ４００とＲＡＮ(ｅＮＢ) ４０２の間でＤＣＨ(ｄｅｄｉｃａｔｅｄ ｃｈａｎｎｅｌ)を確立するのに必要なパラメータを含む。
【０１４７】
ＲＲＣ Ｃｏｎｎｅｃｔｉｏｎ Ｓｅｔ−ｕｐメッセージ４４４の受信に際して、ＵＥ ４００は、ＩＥ(ｉｎｆｏｒｍａｔｉｏｎ ｅｌｅｍｅｎｔ)値同士を比較し、値が同一であれば、ＲＲＣ Ｃｏｎｎｅｃｔｉｏｎ Ｓｅｔ−ｕｐ Ｃｏｍｐｌｅｔｅメッセージ４４６を、ＤＣＨを介してＲＡＮ(ｅＮＢ) ４０２へ送信する。このＲＲＣ Ｃｏｎｎｅｃｔｉｏｎ Ｓｅｔ−ｕｐ Ｃｏｍｐｌｅｔｅメッセージ４４６は、ＮＡＳ−ＰＤＵ(Ｎｏｎ−Ａｃｃｅｓｓ Ｓｔｒａｔｕｍ Ｐａｃｋｅｔ Ｄａｔａ Ｕｎｉｔｓ)によって伝達される。
【０１４８】
Ｔｒａｃｅ Ｒｅｃｏｒｄｉｎｇ Ｓｅｓｓｉｏｎは、ＲＡＮ(ｅＮＢ) ４０２がＣＮ ４０４からＩｎｉｔｉａｌ ＵＥ Ｃｏｎｔｅｘｔ Ｓｅｔｕｐ Ｒｅｑｕｅｓｔメッセージ４５０(すなわち、ｔｒａｃｅ ｓｅｓｓｉｏｎ ａｃｔｉｖａｔｉｏｎリクエスト)を介してトレースの制御及び設定パラメータ(ＭＤＴ Ｃａｐａｂｉｌｉｔｙを含むＵＥ ＡＳ Ｃａｐａｂｉｌｉｔｙ、並びに更には装置特性及び／又は装置種別を含むパラメータ)を受信した場合に、ＲＡＮ(ｅＮＢ) ４０２によって開始される。このようなＩｎｉｔｉａｌ ＵＥ Ｃｏｎｔｅｘｔ Ｓｅｔｕｐ Ｒｅｑｕｅｓｔメッセージ４５０は、ＲＡＮ(ｅＮＢ) ４０２からのＩｎｉｔｉａｌ ＵＥ Ｍｅｓｓａｇｅ ４４８の受信に応じて、ＣＮ ４０４によりＲＡＮ(ｅＮＢ) ４０２へ送信される。すなわち、ＵＥ ４００が存在するエリアにおいてＭＤＴ測定を実施する必要がある場合、ＲＡＮ(ｅＮＢ) ４０２は、４５２ ＵＥ ４００を選択及び設定して、示されたＵＥ ＭＤＴ Ｃａｐａｂｉｌｉｔｙ及び装置特性に応じたＭＤＴ測定を行えるようにする。ＵＥ ４００は、ＲＡＮ(ｅＮＢ) ４０２からの指示４５４の受信に際して、ログＭＤＴ処理を開始するように指示される。
【０１４９】
図示の配置においては、例えばモビリティ、トラヒック、メモリ及びバッテリ等の装置特性が、装置の承諾及びローミング特性に関わらず、Ｉｎｉｔｉａｌ ＵＥ Ｃｏｎｔｅｘｔ Ｓｅｔｕｐ Ｒｅｑｕｅｓｔメッセージ４５０に含まれる。加えて、装置種別が“ＯＮ”に設定され且つ装置特性がＴｒａｃｅ Ｓｅｓｓｉｏｎ Ａｃｔｉｖａｔｉｏｎコマンド４３８において指定されていた場合、ＲＡＮ(ｅＮＢ) ４０２は、(ＭＤＴ処理のための)ＵＥ装置選択のために、装置特性を考慮に入れるように動作する。ここで、これらの装置特性は、Ｉｎｉｔｉａｌ ＵＥ Ｃｏｎｔｅｘｔ Ｓｅｔｕｐ Ｒｅｑｕｅｓｔメッセージ４５０において、ＣＮ ４０４からＲＡＮ(ｅＮＢ) ４０２へ提供されている。
【０１５０】
指定された装置特性の一つが“低電力”である場合、ＲＡＮ(ｅＮＢ) ４０２は、一旦、ネットワーク特性測定(すなわち、ｔｒａｃｅ ｓｅｓｓｉｏｎ)が行われると、セッションの一部を形成する関連ＵＥ装置を、最も効率的な省電力状態にするよう動作する。ＲＡＮ(ｅＮＢ) ４０２は、ＲＲＣ Ｃｏｎｎｅｃｔｉｏｎ Ｒｅｌｅａｓｅコマンド４５６を関連ＵＥ装置へ送信してＵＥ装置との無線コネクションを解放することによって、この省電力状態を関連ＵＥ装置において実施するよう動作する。
【０１５１】
また、指定された装置特性の一つが“低モビリティ”である場合、ＲＡＮ(ｅＮＢ) ４０２は、一旦、ネットワーク特性測定(すなわち、ｔｒａｃｅ ｓｅｓｓｉｏｎ)が行われると、セッションの一部を形成する関連ＵＥ装置を、無線測定報告がＵＥ装置により供給されない状態にする。ＲＡＮ(ｅＮＢ) ４０２は、省電力状態の実施と同様にして、すなわち、ＲＲＣ Ｃｏｎｎｅｃｔｉｏｎ Ｒｅｌｅａｓｅコマンド４５６を関連ＵＥ装置へ送信してＵＥ装置との無線コネクションを解放することによって、この状態を関連ＵＥ装置において実施するよう動作する。
【０１５２】
図４Ｂにおいては、ｔｒａｃｅ ｓｅｓｓｉｏｎ ａｃｔｉｖａｔｉｏｎリクエスト(すなわち、Ｉｎｉｔｉａｌ ＵＥ Ｃｏｎｔｅｘｔ Ｓｅｔｕｐ Ｒｅｑｕｅｓｔ ４５０)がＣＮ ４０４から特定のＵＥ ４００のために受信され、且つＭＤＴ ＵＥ選択条件がＵＥ ４００に対して満たされる場合に、ログＭＤＴのｔｒａｃｅ ｒｅｃｏｒｄｉｎｇ ｓｅｓｓｉｏｎがＲＡＮ(ｅＮＢ) ４０２においてＵＥ ４００のために開始されるべきである。
【０１５３】
図４Ｂに示す配置において、ＭＴＣデバイスパラメータＯＮ／ＯＦＦフラグ(別名：装置種別フラグ)は、ＥＭ ４０８からＲＡＮ(ｅＮＢ) ４０２に対して送信されるＵＥ ｍｅａｓｕｒｅｍｅｎｔ ｃｏｎｆｉｇｕｒａｔｉｏｎ情報に含まれる。上述した装置種別が、ＥＭ ４０８からのＴｒａｃｅ Ｓｅｓｓｉｏｎ Ａｃｔｉｖａｔｉｏｎにおいて予めＯＮに設定されている場合、ＲＡＮ(ｅＮＢ) ４０２は、ＣＮ ４０４から受信した装置種別情報を、ＭＤＴ目的のＵＥ選択のために考慮に入れる。
【０１５４】
ＭＴＣデバイス特性パラメータＯＮ／ＯＦＦフラグ(例えば、低モビリティのＯＮ／ＯＦＦ、低トラヒックのＯＮ／ＯＦＦ、低メモリのＯＮ／ＯＦＦ、及び低バッテリのＯＮ／ＯＦＦ)が、ＥＭ ４０８からＲＡＮ(ｅＮＢ) ４０２へのＵＥ ｍｅａｓｕｒｅｍｅｎｔ ｃｏｎｆｉｇｕｒａｔｉｏｎ情報に対して付加される。上述したパラメータが、ＥＭ ４０８からのＴｒａｃｅ Ｓｅｓｓｉｏｎ Ａｃｔｉｖａｔｉｏｎにおいて予めＯＮに設定されている場合、ＲＡＮ(ｅＮＢ) ４０２は、(ＣＮから)受信した装置特性を、ＭＤＴ目的のＵＥ選択のために考慮に入れる。
【０１５５】
ＭＴＣサーバ４０６は、装置特性を、ＯＭＡ ＤＭを介してＵＥアプリケーションレイヤへ設定するよう動作する。更にアプリケーションレイヤによって提供される装置特性に対して、ＵＥ ４００は、自身のＭＤＴ Ｃａｐａｂｉｌｉｔｙを非アクティブ化するか、或いは装置特性を、ＲＡＮ(ｅＮＢ) ４０２に対して更に送信される無線能力(Ｒａｄｉｏ ｃａｐａｂｉｌｉｔｙ)情報中の新たな情報として設定するように動作する。これらの装置特性は、ネットワークへのＵＥ登録に際し、ＣＮ ４０４においてＵＥ無線能力内に記憶され得る。
【０１５６】
前述した通り、指定されたモビリティ、トラヒック、メモリ及びバッテリに関するＵＥ装置特性は、装置の承諾及びローミング特性に関わらず、ＣＮ ４０４によりＲＡＮ(ｅＮＢ) ４０２に対して含められる。
【０１５７】
図５は、ＭＤＴへ参加するＵＥ装置を選択する本発明の第２の１以上の実施形態に係る処理のための、概略的な処理シグナリングフローを示している。
【０１５８】
移動体無線通信ネットワークの複数の装置が、ＭＤＴ処理へ参加するＵＥを選択する処理中における装置同士間でのデータ及び／又はメッセージフローと共に示されている。これらの装置には、ＵＥ ５００と、ＲＡＮ(ｅＮＢ) ５０２と、ＣＮ ５０４と、ＥＭ ５０６とが含まれる。
【０１５９】
ＵＥ ５００は、ＣＮ ５０４への登録の際、自身のＭＤＴ Ｃａｐａｂｉｌｉｔｙ情報を、Ｅ−ＵＴＲＡＮのためのＡＳ Ｃａｐａｂｉｌｉｔｙの一部としてコアネットワークへ転送する。この情報は、ＣＮ ５０４において記憶される。
【０１６０】
図示の配置におけるＭＤＴ測定のアクティブ化処理５１０は、図４Ｂに関して説明したＭＤＴ測定のアクティブ化処理４３４と同一である。
【０１６１】
ＵＥ ５００は、ＲＡＮ(ｅＮＢ) ５０２とのコネクションを確立したい場合、ステップ５１４、５１６及び５１８を含むＲＲＣ Ｃｏｎｎｅｃｔｉｏｎ Ｓｅｔ−ｕｐ処理５１２を開始する。初めに、ＵＥ ５００は、ＲＲＣ Ｃｏｎｎｅｃｔｉｏｎ Ｒｅｑｕｅｓｔ ５１４をＲＡＮ(ｅＮＢ) ５０２へ送信する。
【０１６２】
ＲＲＣ Ｃｏｎｎｅｃｔｉｏｎ Ｒｅｑｕｅｓｔ ５１４の受信に応じて、ＲＡＮ(ｅＮＢ) ５０２は、ＲＲＣ Ｃｏｎｎｅｃｔｉｏｎ Ｓｅｔ−ｕｐメッセージ５１６をＵＥ ５００へ送信する。このＲＲＣ Ｃｏｎｎｅｃｔｉｏｎ Ｓｅｔ−ｕｐメッセージ５１６、ＵＥ ５００とＲＡＮ(ｅＮＢ) ５０２の間でＤＣＨ(ｄｅｄｉｃａｔｅｄ ｃｈａｎｎｅｌ)を確立するのに必要なパラメータを含む。
【０１６３】
ＲＲＣ Ｃｏｎｎｅｃｔｉｏｎ Ｓｅｔ−ｕｐメッセージ５１６の受信に際して、ＵＥ ５００は、ＩＥ値同士を比較し、値が同一であれば、ＲＲＣ Ｃｏｎｎｅｃｔｉｏｎ Ｓｅｔ−ｕｐ Ｃｏｍｐｌｅｔｅメッセージ５１８を、ＤＣＨを介してＲＡＮ(ｅＮＢ) ５０２へ送信する。このＲＲＣ Ｃｏｎｎｅｃｔｉｏｎ Ｓｅｔ−ｕｐ Ｃｏｍｐｌｅｔｅメッセージ５１８は、ＮＡＳ−ＰＤＵによって伝達される。
【０１６４】
Ｔｒａｃｅ Ｒｅｃｏｒｄｉｎｇ Ｓｅｓｓｉｏｎは、ＲＡＮ(ｅＮＢ) ５０２がＣＮ ５０４からＩｎｉｔｉａｌ ＵＥ Ｃｏｎｔｅｘｔ Ｓｅｔｕｐ Ｒｅｑｕｅｓｔメッセージ５２２(すなわち、ｔｒａｃｅ ｓｅｓｓｉｏｎ ａｃｔｉｖａｔｉｏｎリクエスト)を介してトレースの制御及び設定パラメータ(ＭＤＴ Ｃａｐａｂｉｌｉｔｙを含むＵＥ ＡＳ Ｃａｐａｂｉｌｉｔｙ、及び装置種別のインディケーション)を受信した場合に、ＲＡＮ(ｅＮＢ) ５０２によって開始される。このようなＩｎｉｔｉａｌ ＵＥ Ｃｏｎｔｅｘｔ Ｓｅｔｕｐ Ｒｅｑｕｅｓｔメッセージ５２２は、ＲＡＮ(ｅＮＢ) ５０２からのＩｎｉｔｉａｌ ＵＥ Ｍｅｓｓａｇｅ ５２０の受信に応じて、ＣＮ ５０４によりＲＡＮ(ｅＮＢ) ５０２へ送信される。すなわち、ＵＥ ５００が存在するエリアにおいてＭＤＴ測定を実施する必要がある場合、ＲＡＮ(ｅＮＢ) ５０２は、５２４ ＵＥ ５００を選択及び設定して、示されたＵＥ ＭＤＴ Ｃａｐａｂｉｌｉｔｙ及び装置種別に応じたＭＤＴ測定を行えるようにする。ＵＥ ５００は、ＲＡＮ(ｅＮＢ) ５０２からの指示５２６の受信に際して、ログＭＤＴ処理を開始するように指示される。
【０１６５】
上述した図５の処理において、ＵＥ装置が、アタッチするＲＡＮ(すなわち、装置の位置)、ＵＥのＭＤＴ Ｃａｐａｂｉｌｉｔｙ(すなわち、装置がＭＤＴ可能である必要があること)並びに装置種別(例えば、ＭＴＣ及び／又は非ＭＴＣ)に基づいて、ＭＤＴ処理に参加するために選択される。
【０１６６】
図５に示す配置において、装置種別は、装置識別情報、すなわち、ＩＭＥＩ又はＩＭＥＩのサブセット(ＴＡＣ(Ｔｙｐｅ ｏｆ Ａｌｌｏｃａｔｉｏｎ))によって特定される。すなわち、装置識別子(ＩＭＥＩ)又はそのサブセットが、ＣＮ ５０４によりＲＡＮ(ｅＮＢ) ５０２へ送信される。オプションとして、現行ＴＡＣの数ビットが、ＭＴＣデバイスを特定するために用いられる。更なるオプションとして、ＭＴＣデバイスを特定するためのＴＡＣのエンコーディングが、情報の最上位桁において提供され得る。
【０１６７】
上述した図４Ａ、図４Ｂ及び図５の配置において、ＥＭは、装置の幾つかのカテゴリ(例えば、ＭＴＣ)をＭＤＴ処理のために選択するか否かを制御するよう動作する。上述した通り、これは、設定パラメータをＲＡＮに対するＴｒａｃｅ Ｓｅｓｓｉｏｎ Ａｃｔｉｖａｔｉｏｎメッセージに付加することによって実施される。そして、ＲＡＮは、図４Ａ、図４Ｂ及び図５に説明したいずれかの処理の残り部分を実行するよう動作しても良い。
【０１６８】
図６を参照して、移動体無線通信装置ＵＥ ６００の概略図を携帯電話機ハンドセットの形式で例証する。このＵＥ ６００は、アンテナ６０２と、ハンドセット内でメモリ記憶装置６０６、プロセッサ６０８及びユーザインタフェース６１０に機能的に接続される送信／受信６０４と、を含む標準エアインタフェースを有している。
【０１６９】
図示の実施形態の範囲内において、プロセッサ６０８は、ＵＥ ６００のＭＤＴ Ｃａｐａｂｉｌｉｔｙを非アクティブ化するよう動作するＭＤＴ Ｃａｐａｂｉｌｉｔｙ非アクティブ化機能６１２を含む。また、プロセッサ６０８は、装置特性(例えば、モビリティ、トラヒック、メモリやバッテリ等)を、新たな情報として無線能力情報又は専用の無線(ＲＲＣ)シグナリングメッセージに含めるよう動作する装置特性確認機能６１４も含む。
【０１７０】
また、本発明は、例えば、ＲＮＣに対するインタフェース７０２、及びＢＳＣ(Ｂａｓｅ Ｓｔａｔｉｏｎ Ｃｏｎｔｒｏｌｌｅｒ)を介したＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)ネットワークに対するインタフェース７０４を伴って配置される無線通信ネットワーク装置７００も提供する。このネットワーク装置７００は、メモリ７０６と、プロセッサ７０８とを含む。プロセッサ７０８は、ＵＥ ｍｅａｓｕｒｅｍｅｎｔ ｃｏｎｆｉｇｕｒａｔｉｏｎ情報に対して、ネットワーク特性測定のために選択されるべきＵＥ装置種別(例えば、ＭＴＣ及び／又は非ＭＴＣ)の指定を付加する装置種別識別機能７１０を含むことが可能である。
【０１７１】
また、プロセッサ７０８は、ＵＥ ｍｅａｓｕｒｅｍｅｎｔ ｃｏｎｆｉｇｕｒａｔｉｏｎ情報に対して、少なくとも一つのＵＥ装置特性、すなわち、ＵＥ装置がネットワーク特性測定に含められるならば有すべき特性(例えば、モビリティ、トラヒック、メモリやバッテリ等)の指定を付加する装置特性パラメータ機能７１２を含むことが可能である。
【０１７２】
オプションとして、ネットワーク装置７００は、ＵＥ無線能力内に、ネットワークへのＵＥ登録の際にＵＥ装置から得たＵＥ装置特性を記憶するように更に動作する。
【０１７３】
勿論、当然のことながら、本発明は、上記の詳細な説明に制限されるものでは無く、必要に応じて、任意の移動体無線通信ネットワーク最適化システム、装置及び方法と関連付けて採用することが可能である。
【０１７４】
例えば、本発明は、ＣＰＵ(Ｃｅｎｔｒａｌ Ｐｒｏｃｅｓｓｉｎｇ Ｕｎｉｔ)等のコンピュータに図４Ａ、図４Ｂ及び図５に示した処理を実行させるためのプログラムによって実現することが可能である。
【０１７５】
プログラムは、様々なタイプの非一時的なコンピュータ可読媒体(ｎｏｎ−ｔｒａｎｓｉｔｏｒｙ ｃｏｍｐｕｔｅｒ ｒｅａｄａｂｌｅ ｍｅｄｉｕｍ)を用いて格納され、コンピュータに供給することができる。ここで、非一時的なコンピュータ可読媒体は、様々なタイプの実体のある記録媒体(ｔａｎｇｉｂｌｅ ｓｔｏｒａｇｅ ｍｅｄｉｕｍ)を含む。非一時的なコンピュータ可読媒体の例は、磁気記録媒体(例えば、フレキシブルディスク、磁気テープ、ハードディスクドライブ)、光磁気記録媒体(例えば、光磁気ディスク)、ＣＤ−ＲＯＭ(Ｒｅａｄ Ｏｎｌｙ Ｍｅｍｏｒｙ)、ＣＤ−Ｒ、ＣＤ−Ｒ／Ｗ、半導体メモリ(例えば、マスクＲＯＭ、ＰＲＯＭ(Ｐｒｏｇｒａｍｍａｂｌｅ ＲＯＭ)、ＥＰＲＯＭ(Ｅｒａｓａｂｌｅ ＰＲＯＭ)、フラッシュＲＯＭ、ＲＡＭ(Ｒａｎｄｏｍ Ａｃｃｅｓｓ Ｍｅｍｏｒｙ))を含む。プログラムは、様々なタイプの一時的なコンピュータ可読媒体(ｔｒａｎｓｉｔｏｒｙ ｃｏｍｐｕｔｅｒ ｒｅａｄａｂｌｅ ｍｅｄｉｕｍ)によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１７６】
この出願は、２０１１年８月１１日に出願されたイギリス国特許出願第１１１３８４９．２号を基礎とする優先権を主張し、その開示の全てをここに取り込む。
【符号の説明】
【０１７７】
１００、２００、３０６、４０８、５０６  ＥＭ
１０２  ＭＭＥ
１０４  ｅＮＢ
１０６、２０４、３００、４００、５００  ＵＥ
１０８、２０６  ＴＣＥ
２０２  ＲＮＣ
３０２、４０２、５０２  ＲＡＮ(ｅＮＢ)
３０４、４０４、５０４  ＣＮ
４０６  ＭＴＣサーバ
６００  移動体無線通信装置
６０２  アンテナ
６０４  受信／送信
６０６  メモリ記憶装置
６０８、７０８  プロセッサ
６１０  ユーザインタフェース
６１２  ＭＤＴ Ｃａｐａｂｉｌｉｔｙ非アクティブ化機能
６１４  装置特性確認機能
７００  無線通信ネットワーク装置
７０２、７０４  インタフェース
７０６  メモリ
７１０  装置種別識別機能
７１２  装置特性パラメータ機能
【図１】
0005637328.tif 000002
【図２】
0005637328.tif 000003
【図３】
0005637328.tif 000004
【図４Ａ】
0005637328.tif 000005
【図４Ｂ】
0005637328.tif 000006
【図５】
0005637328.tif 000007
【図６】
0005637328.tif 000008
【図７】
0005637328.tif 000009